(57)【要約】  小型カメラレンズ駆動装置は、支持構造、サスペンションシステムによって支持構造上に支持されているカメラレンズエレメント、および支持構造と可動要素との間に接続されカメラレンズエレメントの移動を駆動するＳＭＡアクチュエータを備える。制御回路は、感知した際に電気的接続部の抵抗の影響を低減するＳＭＡアクチュエータとの独立した電気的接続部を有する駆動回路およびセンサー回路を備えることができる。制御回路は、周囲温度を示す温度信号に応じて駆動信号を変化させることができる。エンドストップは、抵抗−長さカーブ上の極大抵抗に対応する長さ以下である最大長を超えてＳＭＡアクチュエータが非加熱状態で伸長するのを妨げるように移動を制限する。位置の制御は、ＳＭＡアクチュエータの抵抗を位置の尺度として使用して行われる。制御では、「ラチェッティング」法を使用して障害状態を防止し、初期較正ステップを使用してある範囲のターゲット抵抗値を導出する。製造時、レンズホルダーの位置は、ＳＭＡアクチュエータが周囲温度よりも高い所定の温度まで加熱されたときにイメージセンサー上で無限遠から過焦点距離までの範囲の距離にある物体の画像の合焦を行うようにキャリアに相対的に調節される。
2010518438.tif 000002
【特許請求の範囲】
【請求項１】
加熱してカメラレンズエレメントを光軸に沿って駆動し前記カメラレンズエレメントの焦点をイメージセンサー上に変えるように配置されたＳＭＡアクチュエータを備えるカメラレンズ駆動装置を制御する方法であって、
前記ＳＭＡアクチュエータが、収縮時に抵抗が極大抵抗から極小抵抗に減少するカーブに従って長さとともに抵抗が変化する特性を有し、
前記ＳＭＡアクチュエータが通電により加熱され、
前記カメラレンズエレメントの移動が、前記ＳＭＡアクチュエータの抵抗を測定し、前記ＳＭＡアクチュエータの測定抵抗をフィードバック信号として使用して前記電流の電力を変化させて前記測定抵抗をターゲット値に調整することによって制御され、
前記方法が、
前記ＳＭＡアクチュエータを加熱し、その測定抵抗を監視して前記極大抵抗および前記極小抵抗を検出する工程と、検出された極大抵抗の抵抗値と検出された極小抵抗の抵抗値との差以下である抵抗範囲の大きさを導出し記憶する工程とを含む予備較正動作を実行する工程と、
前記予備較正動作よりも頻繁に焦点検出動作を実行する工程と、を有し、
前記焦点検出動作が、
前記ＳＭＡアクチュエータを加熱し、その抵抗を監視して前記極大抵抗を検出する工程と、
前記検出された極大抵抗の前記抵抗値であるまたは所定のデクリメントだけ低い上限ターゲット抵抗値、および前記上限ターゲット抵抗値から前記記憶されている抵抗範囲の大きさを引いた値に等しい下限ターゲット抵抗値を導出する工程と、
前記ＳＭＡアクチュエータを、前記測定抵抗が前記上限ターゲット抵抗値から前記下限ターゲット抵抗値まで変化するように加熱し、前記イメージセンサーによって出力される前記画像信号の合焦品質を監視し、前記合焦品質が許容可能レベルにある前記抵抗値を記憶する工程と、を含む方法。
【請求項２】
さらに、前記焦点検出動作の後に、その長さが前記カーブで前記極大抵抗に対応する前記長さ以上となるまで前記ＳＭＡアクチュエータを冷却する工程と、次いで前記ＳＭＡアクチュエータを加熱して前記測定抵抗を前記合焦品質が許容可能レベルである前記記憶されている抵抗値に駆動する工程とを含む合焦動作を実行する工程を含む請求項１に記載の方法。
【請求項３】
前記焦点検出動作時、前記測定抵抗が、前記イメージセンサーから出力される前記画像信号の前記合焦品質が決定される間で前記抵抗値が一定に保持される一連のターゲット値に調整される請求項１または２に記載の方法。
【請求項４】
前記カメラレンズ駆動装置に最初に電力供給されたときに、前記予備較正動作を実行する工程を含む請求項１から３のいずれか一項に記載の方法。
【請求項５】
前記カメラレンズエレメントが最大１０ｍｍの直径を有する１つまたは複数のレンズを備える請求項１から４のいずれか一項に記載の方法。
【請求項６】
加熱してカメラレンズエレメントを光軸に沿って駆動し前記カメラレンズエレメントの焦点をイメージセンサー上に変えるように配置されたＳＭＡアクチュエータを備えるカメラレンズ駆動装置用の制御システムであって、
前記ＳＭＡアクチュエータが収縮時に抵抗が極大抵抗から極小抵抗に減少するカーブに従って長さとともに前記抵抗が変化する特性を有し、
前記ＳＭＡアクチュエータに通電して前記ＳＭＡアクチュエータを加熱するように作動可能な電流源と、
前記ＳＭＡアクチュエータの前記抵抗を測定するように作動可能な検出器回路と、
前記電流源を制御し、前記ＳＭＡアクチュエータの前記測定抵抗をフィードバック信号として使用して前記電流の電力を変化させて前記測定抵抗をターゲット値に調整するように作動可能なコントローラとを備え、
前記コントローラが、
前記電流源を制御して前記ＳＭＡアクチュエータを加熱し、前記ＳＭＡアクチュエータの前記測定抵抗を監視して前記極大抵抗および前記極小抵抗を検出し、前記検出された極大抵抗の前記抵抗値と前記検出された極小抵抗の前記抵抗値との間の差以下である抵抗範囲の大きさを導出し記憶する予備較正動作を実行するように作動可能であり、
前記予備較正動作よりも頻繁に、焦点検出動作を実行するように作動可能であり、
前記焦点検出動作では、
前記コントローラが、前記電流源を制御して前記ＳＭＡアクチュエータを加熱し、前記ＳＭＡアクチュエータの前記測定抵抗を監視して前記極大抵抗を検出し、
前記コントローラが、前記検出された極大抵抗の前記抵抗値であるまたは所定のデクリメントだけ低い上限ターゲット抵抗値、および前記上限ターゲット抵抗値から前記記憶されている抵抗範囲の大きさを引いた値に等しい下限ターゲット抵抗値を導出し、
前記コントローラが、前記電流源を制御して前記ＳＭＡアクチュエータを、前記測定抵抗が前記上限ターゲット抵抗値から前記下限ターゲット抵抗値まで変化するように加熱し、前記イメージセンサーによって出力される前記画像信号の合焦品質を監視し、前記合焦品質が許容可能レベルにある前記抵抗値を記憶する、制御システム。
【請求項７】
前記コントローラは、前記焦点検出動作の後に、前記コントローラが長さが前記カーブで前記極大抵抗に対応する前記長さ以上となるまで前記電流源を制御し前記ＳＭＡアクチュエータを冷却し、次いで前記コントローラが前記電流源を制御し前記ＳＭＡアクチュエータを加熱して前記測定抵抗を前記合焦品質が許容可能レベルである前記記憶されている抵抗値に駆動する合焦動作を実行するように作動可能である請求項６に記載の制御システム。
【請求項８】
前記焦点検出動作時、前記測定抵抗が、前記イメージセンサーから出力される前記画像信号の前記合焦品質が決定される間に前記抵抗が一定に保持される一連のターゲット値に調整される請求項６または７に記載の制御システム。
【請求項９】
前記カメラレンズ駆動装置に最初に電力供給されたときに、前記コントローラが前記予備較正動作を実行するように作動可能である請求項６から８のいずれか一項に記載の制御システム。
【請求項１０】
前記カメラレンズエレメントが最大１０ｍｍの直径を有する１つまたは複数のレンズを備える請求項６から８のいずれか一項に記載の制御システム。
【請求項１１】
加熱して可動要素を駆動するように配置されたＳＭＡアクチュエータを備える形状記憶合金駆動装置を制御する方法であって、
前記ＳＭＡアクチュエータは収縮時に前記抵抗が極大抵抗から極小抵抗に減少するカーブに従って長さとともに抵抗が変化する特性を有し、前記ＳＭＡアクチュエータは通電することにより加熱され、
前記ＳＭＡアクチュエータを加熱し、前記ＳＭＡアクチュエータの前記抵抗を測定し、前記ＳＭＡアクチュエータの前記測定抵抗をフィードバック信号として使用して前記測定抵抗をターゲット値に調整することで電流の電力を変化させる工程と、
前記測定抵抗を監視して前記極小抵抗を検出し、前記抵抗極小検出に応じて前記電流の電力を即座に低減する工程とを含む方法。
【請求項１２】
さらに、抵抗極小検出に応じて、前記電流の電力を低減した後に、前記抵抗極小前記抵抗値よりも大きい抵抗の新しいターゲット値を設定する工程を含む請求項１１に記載の方法。
【請求項１３】
前記可動要素がカメラレンズエレメントであり、
前記サスペンションシステムが前記カメラレンズエレメントの光軸に沿って前記支持構造に対して前記カメラレンズエレメントの移動をガイドする請求項１１または１２に記載の方法。
【請求項１４】
前記カメラレンズエレメントが最大１０ｍｍの直径を有する１つまたは複数のレンズを備える請求項１３に記載の方法。
【請求項１５】
前記ＳＭＡアクチュエータの前記測定抵抗をフィードバック信号として使用して前記電流の電力が変化させられる前記ＳＭＡアクチュエータを加熱する前記ステップが、
焦点検出動作として前記測定抵抗を一連のターゲット値に調整するように実行され、前記焦点検出動作はさらに前記ターゲット値のそれぞれで前記イメージセンサーによって出力される前記画像信号の前記合焦品質を監視する工程と、
前記合焦品質が許容可能レベルである前記抵抗値を記憶する工程とを含む請求項１３または１４に記載の方法。
【請求項１６】
さらに、前記ＳＭＡアクチュエータの前記測定抵抗をフィードバック信号として使用して前記電流の電力を変化させて前記測定抵抗を連続するターゲット値に駆動する前記ＳＭＡアクチュエータを加熱する前記ステップの前に、
前記ＳＭＡアクチュエータを加熱し、その抵抗を監視して前記極大抵抗を検出する工程と、
前記検出された極大抵抗の前記抵抗値から、前記一連のターゲット値を、前記検出された極大抵抗の前記抵抗値であるまたは所定のデクリメントだけ低いターゲット抵抗上限値および前記ターゲット抵抗上限値よりも所定のデクリメントだけ低い所定の数の他のターゲット値として導出する工程とを含み、
前記抵抗極小検出に応じて、前記検出された抵抗極小前記抵抗値よりも低い前記導出された一連の値の中のターゲット値は使用されない請求項１５に記載の方法。
【請求項１７】
さらに、前記焦点検出動作の後に、その長さが前記カーブで前記極大抵抗に対応する前記長さ以上となるまで前記ＳＭＡアクチュエータを冷却する工程と、次いで前記ＳＭＡアクチュエータを加熱して前記測定抵抗を前記合焦品質が許容可能レベルである前記記憶されている抵抗値に駆動する工程とを含む合焦動作を実行する工程を含む請求項１５または１６に記載の方法。
【請求項１８】
加熱すると可動要素の移動を駆動するように配置されたＳＭＡアクチュエータを備える形状記憶合金駆動装置用の制御システムであって、前記ＳＭＡアクチュエータは収縮時に前記抵抗が極大抵抗から極小抵抗に減少するカーブに沿って長さとともに抵抗が変化する特性を有し、
電流を前記ＳＭＡアクチュエータに通して前記ＳＭＡアクチュエータを加熱するように作動可能な電流源と、
前記ＳＭＡアクチュエータの前記抵抗を測定するように作動可能な検出器回路と、
前記電流源を制御し、前記ＳＭＡアクチュエータの前記測定抵抗をフィードバック信号として使用して前記電流の電力を変化させて前記測定抵抗をターゲット値に調整するように作動可能なコントローラとを備え、
前記コントローラが、前記測定抵抗を監視して前記極小抵抗を検出し、前記抵抗極小検出に応じて、前記電流源を即座に制御して前記電流の電力を低減するように作動可能である制御システム。
【請求項１９】
前記電流源を制御して前記電流の電力を低減した後、抵抗極小検出に応じて、前記コントローラが前記電流源を制御して前記ＳＭＡアクチュエータを前記抵抗極小前記抵抗値よりも大きい抵抗の新しいターゲット値に加熱するように作動可能である請求項１８に記載の制御システム。
【請求項２０】
前記可動要素がカメラレンズエレメントであり、
前記サスペンションシステムが前記カメラレンズエレメントの前記光軸に沿って前記支持構造に相対に前記カメラレンズエレメントの移動をガイドする請求項１８または１９に記載の制御システム。
【請求項２１】
前記カメラレンズエレメントは、最大１０ｍｍの直径を有する１つまたは複数のレンズを備える請求項２０に記載の制御システム。
【請求項２２】
前記コントローラが、前記電流源を制御して前記ＳＭＡアクチュエータの前記測定抵抗をフィードバック信号として使用して前記電流の電力を変化させて、焦点検出動作の一部として前記測定抵抗を一連のターゲット値に調整するように作動可能であり、さらに、前記焦点検出動作において前記コントローラが、前記ターゲット値のそれぞれで前記イメージセンサーによって出力される前記画像信号の前記合焦品質を監視し、前記合焦品質が許容可能レベルである前記抵抗値を記憶するように作動可能である請求項２０または２１に記載の制御システム。
【請求項２３】
前記焦点検出動作時、前記コントローラが、前記ＳＭＡアクチュエータの前記測定抵抗をフィードバック信号として使用して前記電流の電力が変化させられる前記ＳＭＡアクチュエータを加熱し前記測定抵抗を一連のターゲット値に調整する前に、前記ＳＭＡアクチュエータを加熱し、その抵抗を監視して前記極大抵抗を検出し、前記検出された極大抵抗の前記抵抗値から、前記一連のターゲット値を、前記検出された極大抵抗の前記抵抗値であるまたは所定のデクリメントだけ低いターゲット抵抗上限値および前記上限ターゲット抵抗値よりも所定のデクリメントだけ低い所定の数の他のターゲット値として導出するように作動可能であり、
前記コントローラが、前記抵抗極小検出に応じて、前記測定抵抗を、前記検出された抵抗極小前記抵抗値よりも低い前記導出された一連の値の中のターゲット値に調整しないように作動可能である請求項２２に記載の制御システム。
【請求項２４】
前記コントローラが、前記焦点検出動作の後に、前記コントローラが長さが前記カーブで前記極大抵抗に対応する前記長さ以上となるまで前記電流源を制御し前記ＳＭＡアクチュエータを冷却し、次いで前記コントローラが前記電流源を制御し前記ＳＭＡアクチュエータを加熱して前記測定抵抗を前記合焦品質が許容可能レベルである前記記憶されている抵抗値に駆動する合焦動作を実行するように作動可能である請求項２２または２３に記載の制御システム。
【請求項２５】
形状記憶合金駆動装置であって、
支持構造と、
可動要素の移動をガイドするサスペンションシステムによって支持構造上に支持される可動要素と、
前記支持構造と前記可動要素との間に接続された形状記憶合金アクチュエータであって、前記形状記憶合金アクチュエータは加熱されて収縮したときに前記支持構造に相対的に前記可動要素の前記移動を駆動し、収縮時に抵抗が極大抵抗から極小抵抗に減少するカーブに沿って長さとともに前記抵抗が変化する特性を有する形状記憶合金アクチュエータと、
前記可動要素の移動を制限し、前記カーブ上の前記極大抵抗に対応する前記長さ以下である最大長を超えて前記形状記憶合金アクチュエータが非加熱状態で伸長するのを妨げるように配置されたエンドストップとを備える形状記憶合金駆動装置。
【請求項２６】
前記最大長が、前記カーブ上で前記極大抵抗の前記抵抗よりも前記極大抵抗の前記抵抗と前記極小抵抗の前記抵抗との差の５％の量だけ低い抵抗に対応する前記長さ以下である請求項２５に記載の形状記憶合金駆動装置。
【請求項２７】
前記最大長が、前記カーブ上で前記極大抵抗の前記抵抗よりも前記極大抵抗の前記抵抗と前記極小抵抗の前記抵抗との差の４０％の量だけ低い抵抗に対応する前記長さ以上である請求項２５または２６に記載の形状記憶合金駆動装置。
【請求項２８】
前記可動要素がカメラレンズエレメントであり、
前記サスペンションシステムが前記カメラレンズエレメントの前記光軸に沿って前記支持構造に相対に前記カメラレンズエレメントの移動をガイドする請求項２５から２７のいずれか一項に記載の形状記憶合金駆動装置。
【請求項２９】
前記カメラレンズエレメントが最大１０ｍｍの直径を有する１つまたは複数のレンズを備える請求項２８に記載の形状記憶合金駆動装置。
【請求項３０】
さらに、前記形状記憶合金アクチュエータの収縮によって駆動される前記移動と反対の方向に前記支持構造に相対的に前記可動要素にバイアスをかけるように配置されたバイアス機構を備える請求項２５から２９のいずれか一項に記載の形状記憶合金駆動装置。
【請求項３１】
前記サスペンションシステムが、前記形状記憶合金アクチュエータの収縮によって駆動される前記移動と反対の方向に前記支持構造に相対的に前記可動要素にバイアスをかけるように配置されている請求項２５から３０のいずれか一項に記載の形状記憶合金駆動装置。
【請求項３２】
前記サスペンションシステムは、前記可動要素と前記支持構造との間に結合された複数の弾力性のある湾曲部を備え、前記湾曲部は前記バイアスをかけるように曲げられる請求項３１に記載の形状記憶合金駆動装置。
【請求項３３】
前記形状記憶合金アクチュエータは、前記支持構造と前記可動要素との間に張力をかけて接続されている形状記憶合金ワイヤの少なくとも１つの長さ分を備える請求項２５から３２のいずれか一項に記載の形状記憶合金駆動装置。
【請求項３４】
加熱すると可動要素の移動を駆動するように配置されたＳＭＡアクチュエータを備える形状記憶合金駆動装置を制御する方法であって、前記ＳＭＡアクチュエータは収縮時に前記抵抗が極大抵抗から極小抵抗に減少するカーブに沿って長さとともに抵抗が変化する特性を有し、
前記ＳＭＡアクチュエータは、電流をその中に通すことにより加熱され、前記ＳＭＡアクチュエータの前記抵抗が測定され、
前記方法は、
前記ＳＭＡアクチュエータを加熱し、前記ＳＭＡアクチュエータの前記測定抵抗を監視して前記極小抵抗を検出する第１のステップと、
前記ＳＭＡアクチュエータの測定抵抗をフィードバック信号として使用して電流の電力を変化させ測定抵抗を極小抵抗の抵抗値よりも所定のインクリメントだけ高いターゲット値に調整する第２のステップとを含む方法。
【請求項３５】
さらに、前記第１と第２のステップの間に、前記ＳＭＡアクチュエータを冷却して膨張できるようにするフライバックステップを含む請求項３４に記載の方法。
【請求項３６】
前記ＳＭＡアクチュエータの前記測定抵抗をフィードバック信号として使用して前記電流の電力を変化させる前記第２のステップが、前記測定抵抗を前記極小抵抗の前記抵抗値よりもそれぞれの所定のインクリメントだけ高い一連のターゲット値にそれぞれ調整するように実行される請求項３４に記載の方法。
【請求項３７】
さらに、前記第１と第２のステップの間に、前記ＳＭＡアクチュエータを冷却して膨張できるようにするフライバックステップを含み、前記一連の値の中の前記ターゲット値は連続的に減少する値である請求項３６に記載の方法。
【請求項３８】
前記可動要素がカメラレンズエレメントであり、
前記サスペンションシステムが前記カメラレンズエレメントの前記光軸に沿って前記支持構造に相対に前記カメラレンズエレメントの移動をガイドする請求項３４から３７のいずれか一項に記載の方法。
【請求項３９】
前記カメラレンズエレメントが最大１０ｍｍの直径を有する１つまたは複数のレンズを備える請求項３８に記載の方法。
【請求項４０】
前記ＳＭＡアクチュエータの前記測定抵抗をフィードバック信号として使用して前記電流の電力を変化させる前記第２のステップは、前記測定抵抗を前記極小抵抗の前記抵抗値よりもそれぞれの所定のインクリメントだけ高い一連のターゲット値にそれぞれ調整するように実行され、前記方法はさらに、前記ターゲット値のそれぞれで前記イメージセンサーによって出力される前記画像信号の前記合焦品質を監視する工程と、前記合焦品質が許容可能レベルである前記抵抗値を記憶する工程とを含む請求項３８または３９のいずれか一項に記載の方法。
【請求項４１】
さらに、前記ＳＭＡアクチュエータを冷却して前記ＳＭＡアクチュエータを冷却して膨張できるようにし、次いで、前記ＳＭＡアクチュエータを加熱して前記測定抵抗を、前記合焦品質が許容可能レベルである前記記憶されている抵抗値に駆動する第３のステップを含む請求項４０に記載の方法。
【請求項４２】
加熱すると可動要素の移動を駆動するように配置されたＳＭＡアクチュエータを備える形状記憶合金駆動装置用の制御システムであって、前記ＳＭＡアクチュエータは収縮時に前記抵抗が極大抵抗から極小抵抗に減少するカーブに沿って長さとともに抵抗が変化する特性を有し、
電流を前記ＳＭＡアクチュエータに通して前記ＳＭＡアクチュエータを加熱するように作動可能な電流源と、
前記ＳＭＡアクチュエータの前記抵抗を測定するように作動可能な検出器回路と、
前記電流源を制御して前記電流の電力を変化させるように作動可能なコントローラであって、
前記コントローラが前記電流源を制御して前記ＳＭＡアクチュエータを加熱する第１のステップを実行し、前記コントローラが前記ＳＭＡアクチュエータの前記測定抵抗を監視して前記極小抵抗を検出するように作動可能であり、
前記コントローラが前記ＳＭＡアクチュエータの前記測定抵抗をフィードバック信号として使用して前記電流の電力を変化させて前記測定抵抗を前記極小抵抗の前記抵抗値よりも所定のインクリメントだけ高いターゲット値に調整する第２のステップを実行する動作を実行するように作動可能であるコントローラとを備える制御システム。
【請求項４３】
さらに、前記コントローラが前記電流源を制御して、前記第１と第２のステップの間に、前記ＳＭＡアクチュエータを冷却して膨張できるようにするフライバックステップを実行する請求項４２に記載の制御システム。
【請求項４４】
前記コントローラは、前記電流源を制御して前記ＳＭＡアクチュエータの前記測定抵抗をフィードバック信号として使用して前記電流の電力を変化させて前記測定抵抗を前記極小抵抗の前記抵抗値よりもそれぞれの所定のインクリメントだけ高い一連のターゲット値にそれぞれ調整する第２のステップを実行する請求項４２に記載の制御システム。
【請求項４５】
さらに、前記コントローラが、前記電流源を制御し、前記第１と第２のステップの間に、前記ＳＭＡアクチュエータを冷却して膨張できるようにするフライバックステップを実行し、前記一連の値の中の前記ターゲット値が連続的に減少する値である請求項４４に記載の制御システム。
【請求項４６】
前記可動要素がカメラレンズエレメントであり、
前記サスペンションシステムが前記カメラレンズエレメントの前記光軸に沿って前記支持構造に相対に前記カメラレンズエレメントの移動をガイドする請求項４２から４５のいずれか一項に記載の制御システム。
【請求項４７】
前記カメラレンズエレメントが最大１０ｍｍの直径を有する１つまたは複数のレンズを備える請求項４６に記載の制御システム。
【請求項４８】
前記コントローラは、前記電流源を制御して前記ＳＭＡアクチュエータの前記測定抵抗をフィードバック信号として使用して前記電流の電力を変化させて前記測定抵抗を前記極小抵抗の前記抵抗値よりもそれぞれの所定のインクリメントだけ高い一連のターゲット値にそれぞれ調整する前記第２のステップを実行し、前記コントローラは前記ターゲット値のそれぞれで前記イメージセンサーによって出力される前記画像信号の前記合焦品質を監視し、前記合焦品質が許容可能レベルである前記抵抗値を記憶するように作動可能である請求項４６または４７のいずれか一項に記載の制御システム。
【請求項４９】
前記コントローラが、前記電流源を制御して前記ＳＭＡアクチュエータを冷却して前記ＳＭＡアクチュエータを冷却して膨張できるようにし、次いで、前記ＳＭＡアクチュエータを加熱して前記測定抵抗を、前記合焦品質が許容可能レベルである前記記憶されている抵抗値に駆動する第３のステップを実行する請求項４８に記載の制御システム。
【請求項５０】
加熱すると可動要素の移動を駆動するように配置されたＳＭＡアクチュエータを備える形状記憶合金駆動装置を制御する方法であって、前記ＳＭＡアクチュエータは収縮時に前記抵抗が極大抵抗から極小抵抗に減少するカーブに沿って長さとともに抵抗が変化する特性を有し、
前記ＳＭＡアクチュエータが通電することにより加熱され、前記ＳＭＡアクチュエータの前記抵抗が測定され、
前記方法は、
前記ＳＭＡアクチュエータを加熱し、前記ＳＭＡアクチュエータの前記測定抵抗を監視して前記極大抵抗を検出する第１のステップと、
前記極大抵抗を検出した後、前記ＳＭＡアクチュエータの前記測定抵抗をフィードバック信号として使用して前記電流の電力を変化させて前記測定抵抗を前記検出された極大抵抗の前記抵抗値よりも所定のデクリメントだけ低いターゲット値に調整する第２のステップと、
前記第２のステップと同時に、前記供給される電流の電力および前記測定抵抗を監視して、前記供給される電流の電力の減少が、前記測定抵抗の減少に付随して生じ、前記第１のステップに戻るその条件を検出したことに応じて付随して生じるという条件を検出するステップとを含む方法。
【請求項５１】
前記可動要素がカメラレンズエレメントであり、
前記サスペンションシステムが前記カメラレンズエレメントの前記光軸に沿って前記支持構造に相対に前記カメラレンズエレメントの移動をガイドする請求項５０に記載の方法。
【請求項５２】
前記カメラレンズエレメントが最大１０ｍｍの直径を有する１つまたは複数のレンズを備える請求項５１に記載の方法。
【請求項５３】
加熱すると可動要素の移動を駆動するように配置されたＳＭＡアクチュエータを備える形状記憶合金駆動装置用の制御システムであって、前記ＳＭＡアクチュエータは収縮時に前記抵抗が極大抵抗から極小抵抗に減少するカーブに沿って長さとともに抵抗が変化する特性を有し、
電流を前記ＳＭＡアクチュエータに通して前記ＳＭＡアクチュエータを加熱するように作動可能な電流源と、
前記ＳＭＡアクチュエータの前記抵抗を測定するように作動可能な検出器回路と、
コントローラであって、
前記コントローラが前記電流源を制御して前記ＳＭＡアクチュエータを加熱し、前記ＳＭＡアクチュエータの前記測定抵抗を監視して前記極大抵抗を検出する第１のステップと、
前記極大抵抗を検出した後、前記コントローラが前記電流源を制御し前記ＳＭＡアクチュエータの前記測定抵抗をフィードバック信号として使用して前記電流の電力を変化させて前記測定抵抗を検出された極大抵抗の前記抵抗値よりも所定のデクリメントだけ低いターゲット値に調整する第２のステップとを含む動作で前記電流源を制御するように作動可能なコントローラとを備え、前記第２のステップにおいて、前記コントローラは、前記供給される電流の電力および前記測定抵抗を監視し、前記供給される電流の電力の減少が、前記測定抵抗の減少に付随して生じ、前記第１のステップに戻るその条件を検出したことに応じて付随して生じるという条件を検出する制御システム。
【請求項５４】
前記可動要素がカメラレンズエレメントであり、
前記サスペンションシステムが前記カメラレンズエレメントの前記光軸に沿って前記支持構造に相対に前記カメラレンズエレメントの移動をガイドする請求項５３に記載の制御システム。
【請求項５５】
前記カメラレンズエレメントが最大１０ｍｍの直径を有する１つまたは複数のレンズを備える請求項５４に記載の制御システム。
【請求項５６】
カメラレンズ駆動装置を製造する方法であって、
所定の位置にイメージセンサーを実装するように配置された支持構造と、カメラレンズエレメントの光軸に沿ってキャリアの移動をガイドするサスペンションシステムによって前記支持構造上で支持されている前記キャリアおよびキャリアに相対的にレンズホルダーの位置を調節できるように前記キャリアに取り付けられている少なくとも１つのレンズを保持するレンズホルダーを備えるカメラレンズエレメントと、前記支持構造と前記カメラレンズエレメントとの間に接続され、加熱により収縮したときに前記所定の位置から離れる方向の前記カメラレンズエレメントの前記移動を駆動するように配置されている形状記憶合金アクチュエータとを組み立てる工程と、
前記ＳＭＡアクチュエータが周囲温度よりも高い所定の温度まで加熱されたときに前記イメージセンサー上の前記少なくとも１つのレンズにより無限遠から過焦点距離までの範囲の距離にある物体の画像の合焦を行うように前記キャリアに相対的に前記レンズホルダーの前記位置を調節する工程とを含む方法。
【請求項５７】
前記レンズホルダーの前記位置を調節する前記ステップが前記形状記憶合金アクチュエータを前記所定の温度に加熱して実行される請求項５６に記載の方法。
【請求項５８】
前記加熱が駆動電流を前記形状記憶合金アクチュエータに通すことにより抵抗方式で実行される請求項５７に記載の方法。
【請求項５９】
前記加熱が外部加熱装置により実行される請求項５７に記載の方法。
【請求項６０】
さらに、前記支持構造上に前記イメージセンサーを取り付ける工程を含む請求項５６から５９のいずれか一項に記載の方法。
【請求項６１】
前記カメラレンズエレメントが最大１０ｍｍの直径を有する１つまたは複数のレンズを備える請求項５６から６０のいずれか一項に記載の方法。
【請求項６２】
さらに、前記形状記憶合金アクチュエータの収縮によって駆動される前記移動と反対の方向に前記支持構造に相対的に前記可動要素にバイアスをかけるように配置されたバイアス機構を備える請求項５６から６１のいずれか一項に記載の方法。
【請求項６３】
前記サスペンションシステムが前記形状記憶合金アクチュエータの収縮によって駆動される前記移動と反対の方向に前記支持構造に相対的に前記可動要素にバイアスをかけるように配置される請求項５６から６２のいずれか一項に記載の方法。
【請求項６４】
前記サスペンションシステムが前記可動要素と前記支持構造との間に結合された複数の弾力性のある湾曲部を備え、前記湾曲部が前記バイアスをかけるように曲げられる請求項６３に記載の方法。
【請求項６５】
前記レンズホルダーが螺嵌によって前記キャリアに装着される請求項５６から６４のいずれか一項に記載の方法。
【請求項６６】
前記形状記憶合金アクチュエータが、前記支持構造と前記可動要素との間に張力をかけて接続されている形状記憶合金ワイヤの少なくとも１つの長さ分を備える請求項５６から６５のいずれか一項に記載の形状記憶合金駆動装置。
【請求項６７】
前記ＳＭＡアクチュエータに通される前記電流の電力がパルス幅変調され、
前記電流が、前記パルス幅変調のデューティサイクルを変更することにより変わる請求項１から５、１１から１７、３４から４１、または５０から５２のいずれか一項に記載の方法。
【請求項６８】
前記電流の電力が、前記測定抵抗と前記ターゲット値との差に比例する量だけ前記パルス幅変調の前記デューティサイクルを変更することにより変わる請求項６７に記載の方法。
【請求項６９】
前記ＳＭＡアクチュエータに通される前記電流が定電流源から供給され、
前記ＳＭＡアクチュエータにかかる電圧が前記ＳＭＡアクチュエータの前記抵抗として測定される請求項１から５、１１から１７、３４から４１、５０から５２、６７または６８のいずれか一項に記載の方法。
【請求項７０】
さらに、前記形状記憶合金駆動装置が、前記形状記憶合金アクチュエータの収縮によって駆動される前記移動と反対の方向に前記支持構造に相対的に前記可動要素にバイアスをかけるように配置されたバイアス機構を備える請求項１から５、１１から１７、３４から４１、５０から５２、または６７から６９のいずれか一項に記載の方法。
【請求項７１】
前記形状記憶合金アクチュエータが、前記支持構造と前記可動要素との間に張力をかけて接続されている形状記憶合金ワイヤの少なくとも１つの長さ分を備える請求項１から５、１１から１７、３４から４１、５０から５２、または６７から７０のいずれか一項に記載の方法。
【請求項７２】
前記ＳＭＡアクチュエータに通される前記電流がパルス幅変調され、
前記電流の電力が、前記パルス幅変調のデューティサイクルを変更することにより変わる請求項６から１０、１８から２４、４２から４９、または５３から５５のいずれか一項に記載の制御システム。
【請求項７３】
前記電流の電力が、前記測定抵抗と前記ターゲット値との差に比例する量だけ前記パルス幅変調の前記デューティサイクルを変化させることにより変化する請求項７２に記載の制御システム。
【請求項７４】
前記電流源が定電流源であり、前記検出器回路が前記ＳＭＡアクチュエータにかかる前記電圧を前記ＳＭＡアクチュエータの前記抵抗として測定するように作動可能である請求項６から１０、１８から２４、４２から４９、５３から５５、７２または７３のいずれか一項に記載の制御システム。
【請求項７５】
さらに、前記形状記憶合金駆動装置が、前記形状記憶合金アクチュエータの収縮によって駆動される前記移動と反対の方向に前記支持構造に相対的に前記可動要素にバイアスをかけるように配置されたバイアス機構を備える請求項６から１０、１８から２４、４２から４９、５３から５５、または７２から７４のいずれか一項に記載の制御システム。
【請求項７６】
前記形状記憶合金アクチュエータが、前記支持構造と前記可動要素との間に張力をかけて接続されている形状記憶合金ワイヤの少なくとも１つの長さ分を備える請求項６から１０、１８から２４、４２から４９、５３から５５、または７２から７５のいずれか一項に記載の制御システム。
【請求項７７】
前記形状記憶合金駆動装置と組み合わせられる請求項６から１０、１８から２４、４２から４９、５３から５５、または７２から７６のいずれか一項に記載の制御システム。
【請求項７８】
形状記憶合金アクチュエータと、
制御回路とを備える形状記憶合金駆動装置であって、
前記制御回路が、
前記形状記憶合金アクチュエータへの電気的接続部を有し、前記形状記憶合金ワイヤを通じて駆動信号を伝え、前記形状記憶合金ワイヤを収縮させるように作動可能な駆動回路と、
前記駆動回路の前記電気的接続部から分離している前記形状記憶合金アクチュエータへの電気的接続部を有する、電圧を検出するように配置された検出回路であって、前記制御回路は前記検出回路によって検出された前記電圧に基づき前記形状記憶合金によって渡される前記駆動信号を制御するように配置されている検出回路とを備える、形状記憶合金駆動装置。
【請求項７９】
前記電気的接続部が導電性接着剤によって形成される請求項７８に記載の形状記憶合金駆動装置。
【請求項８０】
前記形状記憶合金アクチュエータは、形状記憶合金ワイヤおよび前記形状記憶合金ワイヤの端部に機械的および電気的に接続される導電性部材を備え、前記電気的接続部は前記導電性部材に対し形成される請求項７８または７９に記載の形状記憶合金駆動装置。
【請求項８１】
それぞれの導電性部材が前記導電性部材の残り部分から突き出る少なくとも２つの端子を有し、前記駆動回路および前記検出回路の前記電気的接続部がそれぞれの導電性部材の異なる端子上に形成される請求項８０に記載の形状記憶合金駆動装置。
【請求項８２】
前記少なくとも２つの端子が間隙を挟んで互いに隣接する請求項８１に記載の形状記憶合金駆動装置。
【請求項８３】
前記導電性部材が前記形状記憶合金ワイヤに圧着される請求項７８から８２のいずれか一項に記載の形状記憶合金駆動装置。
【請求項８４】
前記検出回路は、２５℃で前記ＳＭＡアクチュエータの前記抵抗の少なくとも１０倍である入力抵抗を有する請求項７８から８３のいずれか一項に記載の形状記憶合金駆動装置。
【請求項８５】
前記駆動回路が定電流駆動信号を通すように作動可能な請求項７８から８４のいずれか一項に記載の形状記憶合金駆動装置。
【請求項８６】
さらに、支持構造上で支持される可動要素を備え、前記形状記憶合金は収縮すると前記支持構造に相対的に前記可動要素を移動するように配置される請求項７８から８５のいずれか一項に記載の形状記憶合金駆動装置。
【請求項８７】
前記可動要素がカメラレンズエレメントであり、前記形状記憶合金アクチュエータが収縮すると前記光軸に沿って前記カメラレンズエレメントを移動するように配置される請求項８６に記載の形状記憶合金駆動装置。
【請求項８８】
前記カメラレンズエレメントが最大１０ｍｍの直径を有する１つまたは複数のレンズを備える請求項８７に記載の形状記憶合金駆動装置。
【請求項８９】
支持構造と、
前記光軸に沿って前記支持構造に相対的に前記可動要素の移動をガイドするサスペンションシステムによって前記支持構造上に支持されるカメラレンズエレメントと、
前記支持構造と前記可動要素との間に接続された形状記憶合金アクチュエータであって、加熱すると前記形状記憶合金アクチュエータの収縮により前記可動要素の前記移動が駆動される、形状記憶合金アクチュエータと、
駆動信号を前記形状記憶合金アクチュエータに供給するように配置された制御システムであって、前記駆動信号は選択的に、収縮を起こさせるほど十分には前記形状記憶合金アクチュエータを加熱しない第１の駆動信号および収縮を起こさせるほど十分に前記形状記憶合金アクチュエータを加熱する第２の駆動信号であり、前記制御回路は前記周囲温度を示す温度信号を受信し、前記周囲温度の上昇につれ前記加熱を減らす形で前記温度信号に応じて前記第２の駆動信号を変化させるように配置される、制御システムとを備えるカメラレンズ駆動装置。
【請求項９０】
さらに、前記温度信号を生成するように配置された温度センサーを備える請求項８９に記載のカメラレンズ駆動装置。
【請求項９１】
前記カメラレンズエレメントが最大１０ｍｍの直径を有する１つまたは複数のレンズを備える請求項８９または９０に記載のカメラレンズ駆動装置。
【発明の詳細な説明】
【技術分野】
【０００１】
本発明は、形状記憶合金（ＳＭＡ）材料を可動要素の移動を駆動するアクチュエータとして使用するＳＭＡ駆動装置に関する。
【０００２】
本発明は、例えば携帯電話やモバイルデジタルデータ処理および／または送信デバイスなどの携帯型電子デバイスで使用されうる小型カメラで使用されるタイプの、カメラレンズエレメントの駆動に特に応用される。
【背景技術】
【０００３】
近年、ＰＤＡ（ポータブルデジタルアシスタント）および携帯電話と呼ばれることもある携帯情報端末が爆発的に普及するとともに、イメージセンサーを採用するコンパクトデジタルカメラ装置を組み込んだデバイスが増えつつある。このようなデジタルカメラ装置が、比較的小さな画像感知領域を備えるイメージセンサーを使用して小型化されるときに、１つまたは複数のレンズを備える、その光学系も、それに応じて小型化される必要がある。
【発明の概要】
【発明が解決しようとする課題】
【０００４】
合焦またはズームを行うために、光軸に沿ってカメラレンズエレメント(lens element)の移動を駆動するある種の駆動機構がこのような小型カメラの密閉環境内に収納されなければならない。カメラレンズエレメントは小さいので、駆動機構は、それに対応して小さな移動範囲内で正確な駆動を行わせることができなければならない。それと同時に、全体としてカメラ装置の小型化が望まれている場合には、アクチュエータ機構は、それ自体コンパクトである。実際の問題として、以上の点から、適用できる駆動機構の種類は限られる。
【０００５】
さまざまな他の小さな物体の駆動機構についても同様の考慮がなされる。
【０００６】
既存のカメラの大半は、さまざまな種類のよく知られている電気コイルモーターを利用しているが、多くの他の駆動機構は、レンズ系の小型駆動ユニットとして提案されている。他のこのような駆動機構としては、一般に電気活性デバイスと呼ばれる、圧電材料、電歪材料、または磁歪材料に基づくトランスデューサがあり、一実施例は、国際公開第０２／１０３４５１号で説明されているようなカメラレンズ用のアクチュエータとして使用されうる国際公開第０１／４７０４１号で開示されているらせんコイル型圧電ベンダータイプの湾曲構造を含むアクチュエータである。
【０００７】
提案されている他の種類の駆動機構では、ＳＭＡ材料をアクチュエータとして使用する。ＳＭＡアクチュエータは、加熱されるとカメラレンズエレメントの移動を駆動するように配置される。駆動は、ＳＭＡアクチュエータがマルテンサイト相とオーステナイト相との間で変化しＳＭＡアクチュエータの応力と歪みが変化する、活性温度範囲内のＳＭＡアクチュエータの温度の制御によって行うことができる。低温では、ＳＭＡアクチュエータは、マルテンサイト相にあるが、高温では、ＳＭＡアクチュエータは、オーステナイト相に変わり、ＳＭＡアクチュエータの接触を引き起こす変形をもたらす。ＳＭＡアクチュエータの温度は、ＳＭＡアクチュエータに電流を選択的に通して加熱し相変化を引き起こすことにより変化しうる。相変化は、ＳＭＡ結晶構造の転移温度の統計的バラツキのせいで一定範囲内の温度で生じる。ＳＭＡアクチュエータは、収縮が可動要素(movable element)の移動を駆動するように配置される。
【０００８】
ＳＭＡ材料を小型カメラのカメラレンズエレメントなどの小さな物体用のアクチュエータとして使用する場合、これには、本質的にリニア作動をする、単位質量当たりの出力が高い、安価な商品である、比較的小さなコンポーネントであるという利点がある。
【０００９】
ＳＭＡ材料をアクチュエータとして使用することにはこれらの理論的な利点があるにも関わらず、実際には、ＳＭＡ材料の性質上生じる制限により、特に、小型デバイスにおいては、ＳＭＡアクチュエータを設計し、製造することが難しい。
【課題を解決するための手段】
【００１０】
本発明の第１および第２の態様は、ＳＭＡアクチュエータを延命することに関係する。
【００１１】
本発明の第１の態様によれば、加熱すると光軸に沿ってカメラレンズエレメントの移動を駆動してイメージセンサー上のカメラレンズエレメントの焦点を変えるように配置されたＳＭＡアクチュエータを備えるカメラレンズ駆動装置を制御する方法が提供されるが、ただし、このＳＭＡアクチュエータは収縮時に抵抗が極大抵抗から極小抵抗に減少するカーブ(curve)に沿って長さとともに抵抗が変化する特性を有し、
この方法の間、ＳＭＡアクチュエータは、電流をその中に通すことにより加熱され、カメラレンズエレメントの移動は、ＳＭＡアクチュエータの抵抗を測定し、ＳＭＡアクチュエータの測定抵抗をフィードバック信号として使用して電流を変化させて測定抵抗を所望の値に駆動することにより制御され、
この方法は、
ＳＭＡアクチュエータを加熱し、測定抵抗を監視して、極大抵抗および極小抵抗を検出することと、検出された極大抵抗の抵抗値と検出された極小抵抗の抵抗値との間の差以下である抵抗範囲の大きさを導出して記憶することとを含む予備較正動作を実行することと、
予備較正動作よりも頻繁に、
ＳＭＡアクチュエータを加熱し、その抵抗を監視して極大抵抗を検出することと、
検出された極大抵抗の抵抗値であるまたは所定のデクリメントだけ低い上限ターゲット抵抗値、および上限ターゲット抵抗値から記憶されている抵抗範囲の大きさを引いた値に等しい下限ターゲット抵抗値を導出することと、
ＳＭＡアクチュエータを、測定抵抗が上限ターゲット抵抗値から下限ターゲット抵抗値まで変化するように加熱し、イメージセンサーによって出力される画像信号の合焦品質を監視し、合焦品質が許容可能レベルにある抵抗値を記憶することとを含む焦点検出動作を実行することとを含む。
【００１２】
さらに、本発明の第１の態様によれば、類似の方法を実行する制御システムが実現される。
【００１３】
本発明の第１の態様は、較正動作が実行され、この較正動作においてＳＭＡ材料が、極大抵抗および極小抵抗を検出し、それからＳＭＡアクチュエータが制御される抵抗の範囲の限界値としてその後の焦点検出動作で使用されるターゲット抵抗の上限および下限を導出するように加熱される制御技術に関する。
【００１４】
本発明の第１の態様は、収縮範囲の上限でＳＭＡアクチュエータを作動させる機会を減らすことによりＳＭＡアクチュエータを延命することができるという理解に基づく。これは、以下の理由による。範囲の上限において、とりわけ極小抵抗よりも高い場合に、さらに加熱すると、さらに収縮させることができるが、ＳＭＡ材料の大半は、マルテンサイト相からオーステナイト相へと転換してしまう。所定の温度における不完全転移のこの不均一効果は、ＳＭＡ結晶構造の転移温度の統計的バラツキのせいで生じる。このポイントを過ぎてワイヤから著しいさらなる変位が要求された場合、比較的少数のＳＭＡ結晶がこの負荷を受ける。材料のこれらの部分は、比較的重い負荷を受けることになり、結果として構造物への損傷をもたらす。この領域内でＳＭＡアクチュエータを繰り返し作動させると、この損傷は、ＳＭＡアクチュエータの所望の寿命に到達する前にワイヤが破砕するか、またはその性能が仕様から外れることになるところまで悪化しうる。
【００１５】
したがって、本発明の第１の態様は、ＳＭＡアクチュエータを収縮範囲の上限で作動させる機会を減らす。特に、これは、予備較正動作を実行して極大抵抗および極小抵抗を検出することにより達成される。次いで、それらの差以下の抵抗範囲の大きさが導出され、記憶される。これ以降、焦点検出動作において、抵抗が変化する上限ターゲット値および下限ターゲット値は、焦点検出動作時に検出された極大抵抗の抵抗値から、また記憶されている抵抗範囲の大きさを使用して導出される。したがって、焦点検出動作において、ＳＭＡアクチュエータは、損傷の危険性が増大する極小抵抗を超えて加熱されることはない。
【００１６】
予備較正動作は、焦点検出動作に比べてそれほど頻繁には実行されない。実際、予備較正動作は、焦点検出動作に比べてかなり低い頻度で実行されうる。例えば、予備較正動作は、電力が供給されるか、または装置のスイッチがオンにされたときにのみ実行されうるが、典型的には焦点検出動作は、電力が供給されてから切断されるまで、または装置のスイッチがオンにされてからオフにされるまでの間、多数回実行される。したがって、ＳＭＡアクチュエータは、焦点検出動作が実行される毎に極小抵抗に達する状況と比較して極小抵抗を超えて加熱されることはあまり頻繁でない。
【００１７】
本発明の第２の態様によれば、加熱すると可動要素の移動を駆動するように配置されたＳＭＡアクチュエータを備える形状記憶合金駆動装置を制御する方法が提供されるが、ただし、このＳＭＡアクチュエータは収縮時に抵抗が極大抵抗から極小抵抗に減少するカーブに沿って長さとともに抵抗が変化する特性を有し、ＳＭＡアクチュエータは電流をその中に通すことにより加熱され、
この方法は、ＳＭＡアクチュエータを加熱し、ＳＭＡアクチュエータの抵抗を測定し、ＳＭＡアクチュエータの測定抵抗をフィードバック信号として使用して測定抵抗をターゲット値に調整することで電流の電力を変化させることと、
測定抵抗を監視して極小抵抗を検出し、抵抗極小検出に応じて、電流の電力を即座に低減することとを含む。
【００１８】
さらに、本発明の第２の態様によれば、類似の方法を実行する制御システムが実現される。
【００１９】
本発明の第２の態様は、収縮範囲の上限でＳＭＡアクチュエータを作動させる機会を減らすことによりＳＭＡアクチュエータを延命することができるという理解に基づく。これは、本発明の第１の態様に関して上で説明されている理由によるものである。
【００２０】
したがって、本発明の第２の態様は、ＳＭＡアクチュエータを収縮範囲の上限で作動させる機会を減らす。これは、測定される抵抗を監視して極小抵抗を検出することとにより行われる。抵抗極小が検出されたときに、電流の電力が即座に低減される。その後、極小抵抗よりも低いターゲット値の探索は行われない。したがって、ＳＭＡアクチュエータが抵抗極小で、またはそれを超えて加熱される程度は、最小にされ、これにより、ＳＭＡアクチュエータが延命される。
【００２１】
本発明のいくつかの態様は、可動要素の位置の制御に関する。ＳＭＡアクチュエータの抵抗を位置の尺度として使用することが望ましい。抵抗のこのような使用には、ＳＭＡアクチュエータを加熱する電流を供給するために必要な制御回路を補助する付加的電子コンポーネントを単純に備えるだけで、正確である、また実装するのに直接的でありコンパクトであるというかなり大きな利点がある。対照的に、可動要素の位置の直接的測定は、小型デバイスとの関連ではかさばる位置センサーを必要とすることになる。また、ＳＭＡアクチュエータの温度の測定は、十分な精度で実行することが困難である。
【００２２】
ＳＭＡアクチュエータの抵抗に影響を及ぼすファクターは、以下のとおりである。加熱に対する抵抗を増大する効果は、温度とともに抵抗が増大することであり、さらにオーステナイト相はマルテンサイト相に比べて高い抵抗を有することである。しかし、対抗する効果は、ＳＭＡアクチュエータが加熱して収縮したときに、幾何学的形状の変化は、長さの減少および断面積の増大を伴って、抵抗を減少させる傾向を有することである。これは、著しく大きな効果を有し、抵抗を増大させる効果を急速に打ち消し、その結果、収縮期間の大半において温度が上昇するとともにＳＭＡアクチュエータの抵抗が減少する。したがって、ＳＭＡは、収縮時に抵抗が極大抵抗から極小抵抗に減少するカーブに沿って抵抗が長さとともに変化するという特性を有する。
【００２３】
ＳＭＡ材料のこの特性により、測定抵抗に基づく制御は、典型的には、収縮が生じ始めたということを示すものとして極大抵抗が検出されるまでＳＭＡアクチュエータを加熱することを伴う。これ以降、可動要素の位置は、例えばＳＭＡアクチュエータの測定抵抗をフィードバック信号として使用し測定抵抗をターゲット値に調整することにより、極大抵抗と極小抵抗との測定抵抗差を位置の尺度として使用してＳＭＡアクチュエータの収縮範囲内で制御されうる。これにより、位置の正確な制御が行われる。
【００２４】
極大抵抗は、個々の駆動装置に対する収縮開始の信頼性および反復性のある尺度を実現する。これは、例えば可動要素がカメラレンズエレメントである場合に位置の正確な制御が要求される用途にとって重要であり、その場合、位置が合焦またはズームを制御する。例えば、極大抵抗値を記録することができ、次いで、この抵抗値に基づき、焦点ゾーン位置を計算する。この場合、第１の焦点ゾーンにおける温度が、極大が生じた温度より高くなるようにオフセットが適用され、その後の焦点ゾーンは、抵抗の減分単位（温度の増分単位に対応する）で第１の焦点ゾーンからオフセットされる。
【００２５】
しかし、極大抵抗における可動要素の位置のバラツキにより、作動中に可動要素の位置にそれに対応するバラツキが生じる。駆動装置の製造および組み立てに固有の許容誤差の結果、異なる駆動装置間でのようにＳＭＡアクチュエータの抵抗が極大抵抗であるときに可動要素の絶対位置に関する不確定性が生じる。許容誤差は、駆動装置を慎重に設計することにより改善されうるけれども、許容誤差は、決して完全には取り除けない。
【００２６】
本発明の第３の態様は、可動要素の不確定の絶対位置のこのような問題を軽減することに関する。
【００２７】
本発明の第３の態様によれば、形状記憶合金駆動装置が実現され、この装置は、
支持構造と、
可動要素の移動をガイドするサスペンションシステムによって支持構造上に支持される可動要素と、
支持構造と可動要素との間に接続された形状記憶合金アクチュエータであって、形状記憶合金アクチュエータは加熱されて収縮したときに支持構造に相対的に可動要素の前記移動を駆動し、収縮時に抵抗が極大抵抗から極小抵抗に減少するカーブに沿って長さとともに抵抗が変化する特性を有する形状記憶合金アクチュエータと、
可動要素の移動を制限し、前記カーブ上の極大抵抗に対応する長さ以下である最大長を超えて形状記憶合金アクチュエータが非加熱状態で伸長するのを妨げるように配置されたエンドストップとを備える。
【００２８】
エンドストップは、ＳＭＡアクチュエータが伸長するのを制限する。したがって、ＳＭＡアクチュエータの非加熱状態にある可動要素の位置は、エンドストップの位置によって固定される。この位置は、前記カーブ上の極大抵抗に対応する長さ以下のＳＭＡアクチュエータの長さに対応する。したがって、エンドストップは、移動要素を効果的に持ち上げて、ＳＭＡアクチュエータの歪みを低減する。ＳＭＡアクチュエータを加熱しているときに、可動要素をエンドストップから離す応力がＳＭＡアクチュエータ内で十分なものとなるまで、可動要素の移動を駆動する収縮を引き起こすことなく相転換が最初に発生する。その後、エンドストップが存在していないとしても移動は駆動される。この配置は、可動要素の移動範囲の開始位置が、エンドストップの位置によって制御されるという利点を有する。エンドストップは、支持構造に相対的な可動要素の位置に対する全体的な最大許容誤差についてＳＭＡアクチュエータの長さが前記カーブ上の極大抵抗に対応する長さ以下となるように位置決めされうる。エンドストップは、比較的よい許容誤差で位置決めされうるので、これにより、可動要素の移動範囲の絶対開始位置に対する許容誤差が大幅に改善される。
【００２９】
しかし、極大抵抗を検出したときの可動要素の位置のバラツキにより、その後の作動時に可動要素の位置にそれに対応するバラツキが生じる。この結果、極大抵抗に対応する可動要素の位置が変化する可能性があるときに、特に高い周囲温度において位置制御が変わりやすいことがある。
【００３０】
それに加えて、周囲温度が十分に高く、抵抗がすでに極大値を超えてしまっているという危険性もある。この場合、第１の位置ゾーン（カメラレンズエレメントの場合には焦点ゾーン）の位置が変化する。これは、ある温度範囲にわたって、制御可能な位置が絶対アクチュエータ位置に関して変化しうることを意味する。これは望ましいことではない。例えば、カメラレンズエレメントのオートフォーカスアルゴリズムの場合に、画質に関係なくカメラが近似的遠焦点（無限遠の焦点）位置に移動することが望ましければ、これは、その温度範囲にわたって妥当な精度でアクチュエータが絶対位置に設定されることを必要とする。
【００３１】
本発明の第４の態様は、可動要素の不確定の絶対位置のこのような問題を軽減することに関する。
【００３２】
本発明の第４の態様によれば、加熱すると可動要素の移動を駆動するように配置されたＳＭＡアクチュエータを備える形状記憶合金駆動装置を制御する方法が提供されるが、ただし、このＳＭＡアクチュエータは収縮時に抵抗が極大抵抗から極小抵抗に減少するカーブに沿って長さとともに抵抗が変化する特性を有し、
この方法の間、ＳＭＡアクチュエータは、電流をその中に通すことにより加熱され、そしてＳＭＡアクチュエータの抵抗が測定され、
この方法は、
ＳＭＡアクチュエータを加熱し、ＳＭＡアクチュエータの測定抵抗を監視して極小抵抗を検出する第１のステップと、
ＳＭＡアクチュエータの測定抵抗をフィードバック信号として使用して電流の電力を変化させ測定抵抗を極小抵抗の抵抗値よりも所定のインクリメントだけ高いターゲット値に調整する第２のステップとを含む。
【００３３】
さらに、本発明の第４の態様によれば、類似の方法を実行する制御システムが実現される。
【００３４】
そこで、ターゲット値の基準として極大抵抗の抵抗値を使用する代わりに、本発明のこの態様では、極小抵抗の検出を伴い、次いで極小抵抗の抵抗値よりも高い所定のインクリメントであるターゲット値を使用することによりこれを基準として使用する。これは、基準として使用された極小抵抗の抵抗値としたがってさらにターゲット値は、周囲温度とともに変化しないという意味で信頼性および反復性があるという利点を有する。これは、観察されているとおり、極小抵抗での可動要素の位置が、極大抵抗での可動要素の位置と比較して安定しているからである。特に、この位置は、周囲温度とともに変化することはない。これは、極小抵抗でのＳＭＡの温度は、周囲温度範囲から十分に外れており、したがって、極小抵抗に対応するアクチュエータ位置も、作動温度範囲にわたって変化しないからである。これにより、可動要素の正確な位置決めが可能になり、多くの用途において有利である。例えば、可動レンズエレメントがカメラレンズエレメントである場合、これにより正確な合焦制御が可能である。
【００３５】
本発明の第５の態様は、測定抵抗を位置の尺度として使用してＳＭＡアクチュエータを制御する場合に発生しうると考えられている障害状態を回避することに関する。
【００３６】
本発明の第５の態様によれば、加熱すると可動要素の移動を駆動するように配置されたＳＭＡアクチュエータを備える形状記憶合金駆動装置を制御する方法が提供されるが、ただし、このＳＭＡアクチュエータは収縮時に抵抗が極大抵抗から極小抵抗に減少するカーブに沿って長さとともに抵抗が変化する特性を有し、
この方法の間、ＳＭＡアクチュエータは、電流をその中に通すことにより加熱され、そしてＳＭＡアクチュエータの抵抗が測定され、
この方法は、
ＳＭＡアクチュエータを加熱し、ＳＭＡアクチュエータの測定抵抗を監視して極大抵抗を検出する第１のステップと、
極大抵抗を検出した後、ＳＭＡアクチュエータの測定抵抗をフィードバック信号として使用して電流を変化させ測定抵抗を検出された極大抵抗の抵抗値よりも所定のデクリメントだけ低いターゲット値に調整する第２のステップと、
前記第２のステップと同時に、供給される電流および測定抵抗を監視して、供給される電流の減少が、測定抵抗の減少に付随して生じ、また第１のステップに戻るその条件を検出したことに応じて付随して生じるという条件を検出するステップとを含む。
【００３７】
さらに、本発明の第５の態様によれば、類似の方法を実行する制御システムが実現される。
【００３８】
第１のステップは、極大抵抗が検出されるまでＳＭＡアクチュエータを加熱することを伴う。これは、収縮が生じ始めたことを示す指標として使用される。これ以降、可動要素の位置は、特に測定抵抗をフィードバック信号として使用し測定抵抗をターゲット値に調整することにより、極大抵抗と極小抵抗との測定抵抗差を位置の尺度として使用してＳＭＡアクチュエータの収縮範囲内で制御されうる。これにより、位置の正確な制御が行われる。したがって、第２のステップは、初期ターゲット値を検出された極大抵抗よりも所定のデクリメントだけ低く設定することを伴う。
【００３９】
しかし、この制御は、状況によっては、結果として障害状態をもたらしうることは理解されている。特に、障害状態は、測定抵抗をフィードバック信号として使用する制御ループでは、ターゲット値に到達しようとしてＳＭＡアクチュエータが最小レベルに冷却されるまで電流が減らされるという状態である。
【００４０】
この障害状態に対する理由は、以下のように理解されている。非加熱状態にあるＳＭＡアクチュエータの平衡位置は、一般に、固定位置と考えられる。例えば、駆動装置がＳＭＡアクチュエータに逆らって働くバイアス機構を組み込むよくあるケースでは、静止位置は、ＳＭＡアクチュエータおよびバイアス機構内で発生する力が平衡する位置であるとみなされる。
【００４１】
しかし、実際には、静止位置は、駆動装置の振動または衝撃の影響を受ける可能性がある。特に、このような外力は、ときには、通常平衡位置を超えてＳＭＡアクチュエータを引き伸ばすという効果を有する。このような状況では、ＳＭＡアクチュエータを加熱する第１のステップは適切に実行され、極大抵抗が検出される。これに関して、第２のステップにおいて、検出された極大抵抗の抵抗値よりも所定のデクリメントだけ低いターゲット値が設定され、第２のステップでは、ＳＭＡアクチュエータの測定抵抗をフィードバック信号として使用して電流の変化が行われる。
【００４２】
障害状態は、第２のステップのターゲット値が、ＳＭＡアクチュエータがその通常平衡位置を超えて引き伸ばされていない場合に生じるであろう極大抵抗の抵抗値よりも大きい場合に発生する。これは、引き伸ばしの程度が、ターゲット値を導出するために使用される所定のデクリメントに関して十分に大きい場合である。この場合、第２のステップでは、最初に電流を印加してＳＭＡアクチュエータを加熱すると抵抗の予想される減少が生じるが、これは、加熱によってＳＭＡアクチュエータが収縮するからである。しかし、ターゲット値に近づくにつれ、または典型的な制御ループのオーバーシュートが生じた場合に、電流が減少する。通常、この場合、測定抵抗をターゲット値に到達させるという予想される挙動が生じる。
【００４３】
しかし、ＳＭＡアクチュエータが通常の平衡位置を超えてまだ引き伸ばされる上述の場合には、電力が増大したときでも測定抵抗の減少を引き起こすＳＭＡアクチュエータの収縮がまだある。これにより、電力のさらなる低減が促進されうる。最終的に、制御は、ＳＭＡアクチュエータが最小レベルに冷却される上述の障害状態に到達する。
【００４４】
この障害状態を回避するために、第２のステップにおいて、供給される電流および測定抵抗が監視され、供給される電流の減少に測定抵抗の減少が付随する状態を検出する。これは、ＳＭＡアクチュエータが測定抵抗のターゲット値で通常の平衡位置を超えてまだ引き伸ばされるという上述の状態を示す。その場合、制御は第１のステップに戻る。そこで、再び電流を印加し、新たな極大抵抗が検出されるまでＳＭＡアクチュエータを加熱する。次に、ＳＭＡはさらに、また平衡位置に近い長さから収縮する。
【００４５】
したがって、障害状態は、ＳＭＡアクチュエータが平衡位置よりも低い位置に収縮するようなときまで第１および第２のステップを反復して回避される。これ以降、作動は通常どおり続けられる。
【００４６】
本発明の第６の態様は、可動要素が合焦動作を行うことを意図されているカメラレンズエレメントである特定の場合に関する。
【００４７】
このようなカメラレンズエレメント(lens element)の場合、移動の範囲が、焦点範囲をもたらす。典型的には、ＳＭＡアクチュエータは、カメラレンズエレメントをセンサー要素(sensor element)から遠ざける移動を駆動する。したがって、カメラレンズエレメントの移動の範囲の初期位置は、原理上、遠視野合焦を実現するように設計され、例えば、無限遠から過焦点距離までの範囲内にある物体の画像がイメージセンサー上に結像される。
【００４８】
しかし、駆動装置の製造および組み立てに固有の許容誤差の結果、異なる駆動装置間でのようにＳＭＡアクチュエータの抵抗が極大抵抗であるときにカメラレンズエレメントの絶対位置に関する不確定性が生じる。許容誤差は、駆動装置を慎重に設計することにより改善されうるけれども、許容誤差は、決して完全には取り除けない。つまり、カメラレンズ駆動装置の合焦を正しく設定するのは困難である。
【００４９】
本発明の第６の態様は、焦点を適切に設定するこのような問題を軽減することに関する。
【００５０】
本発明の第６の態様によれば、カメラレンズ駆動装置を製造する方法が提供され、この方法は、
所定の位置にイメージセンサーを取り付けるように配置された支持構造と、カメラレンズエレメントの光軸に沿ってキャリアの移動をガイドするサスペンションシステムによって支持構造上で支持されているキャリアおよびキャリアに相対的にレンズホルダーの位置を調節できるようにキャリアに取り付けられている少なくとも１つのレンズを保持するレンズホルダーを備えるカメラレンズエレメントと、支持構造とカメラレンズエレメントとの間に接続され、加熱により収縮したときに前記所定の位置から離れる方向のカメラレンズエレメントの前記移動を駆動するように配置されている形状記憶合金アクチュエータとを組み立てることと、
ＳＭＡアクチュエータが周囲温度よりも高い所定の温度まで加熱されたときにイメージセンサー上の少なくとも１つのレンズにより無限遠から過焦点距離までの範囲の距離にある物体の画像の合焦を行うようにキャリアに相対的にレンズホルダーの位置を調節することとを含む。
【００５１】
したがって、本発明の第６の態様では、サスペンションシステムによって支持されているキャリアを備えるカメラレンズエレメント、およびキャリアに相対的にレンズホルダーの位置を調節できるようにキャリアに取り付けられているレンズホルダーを使用する。これにより、駆動装置を組み立てた後にカメラレンズエレメントが備える合焦を調節することができる。このような調節により、異なる駆動装置間でのように支持構造に相対的にカメラレンズエレメントの位置的なバラツキをもたらす製造許容誤差があるにも関わらず合焦を適切に設定することができる。
【００５２】
しかし、ＳＭＡアクチュエータを使用する場合にはさらなる考慮事項が適用されることが理解されている。特に、駆動がＳＭＡアクチュエータの温度変化によって駆動されるという事実から生じる問題が潜在する。これは、駆動装置を使用しているときに周囲温度が高いと、ＳＭＡアクチュエータが製造時の状態と比較して非加熱状態において収縮する可能性があることを意味する。遠視野焦点が製造時の温度に基づいて設定されている場合、これの結果として、より高い周囲温度で使用したときに、遠視野焦点の近くで焦点範囲の一部が喪失する可能性がある。しかし、この問題については本発明の第６の態様において、ＳＭＡアクチュエータが周囲温度よりも高い所定の温度に加熱されたときに遠視野焦点が得られるようにキャリアに相対的にレンズホルダーの位置の調節を実行することにより取り組んでいる。これは、調節を実行するか、またはＳＭＡアクチュエータがそのような加熱時に収縮するという事実を考慮して調節を実行するときに実際にＳＭＡアクチュエータを加熱することにより行われうる。その結果、合焦は、予測されるすべての周囲温度において遠視野焦点までずっと延長する範囲にわたって実現されうる。
【００５３】
ＳＭＡアクチュエータの抵抗を位置の尺度として使用する場合、制御回路は駆動信号をＳＭＡアクチュエータに供給し、またＳＭＡアクチュエータの抵抗の測定を検出するセンサー回路を備える。しかし、制御回路とＳＭＡアクチュエータとの間の電気的接続部に関連する問題がある。特に、このような電気的接続部は、抵抗の測定精度を下げる電気抵抗を持つ。これは、特に、いくつかの応用分野（例えば、光学用途または他の精密機器用途）において当てはまり、その場合、ＳＭＡアクチュエータデバイスの電気端子をその用途の基材にハンダ付けするのは望ましいことでないが、それは、ハンダ付けプロセスでの加熱により潜在的損傷が引き起こされたり、またはハンダ付けプロセスでフラックスの放出が生じるからである。このような用途では、ハンダの代わりに、電気的接続部として導電性接着剤（例えば、銀充填エポキシ）を使用して電気端子に電気的に接続することが知られている。しかし、このような導電性接着剤による接続は、ハンダによる接続と比べて変化する、きわめて大きな電気抵抗を有し、そのような接続の抵抗も同様に著しい温度係数を持ちうる。高精度駆動の抵抗測定に基づき位置制御を実行する場合、変化しうる、温度依存の接着部の抵抗は、アクチュエータの精度に重大な問題を引き起こす。
【００５４】
本発明の第７の態様によれば、形状記憶合金アクチュエータと、
制御回路であって、
形状記憶合金アクチュエータへの電気的接続部を有し、形状記憶合金ワイヤを通じて駆動信号を伝え、形状記憶合金ワイヤを収縮させるように作動可能な駆動回路と、
駆動回路の電気的接続部から分離している形状記憶合金アクチュエータへの電気的接続部を有する、電圧を検出するように配置されたセンサー回路であって、制御回路はセンサー回路によって検出された電圧に基づき形状記憶合金によって渡される駆動信号を制御するように配置されている、センサー回路とを備える制御回路とが実現される。
【００５５】
駆動回路からの別の電気的接続部によってセンサー回路を形状記憶合金アクチュエータに接続し、電圧を検出するセンサー回路を使用することにより、電気的接続部の抵抗の影響は大幅に低減されうる。特に、センサー回路は、駆動電流よりも小さい電流を引き込むように容易に、また都合よく設計されうる。この方法で、電気的接続部間で低下する電圧は、典型的には、かなり程度まで低減される。そのため、変化する、潜在的に高い抵抗を持つ電気的接続部が存在する場合であっても、ＳＭＡアクチュエータの高精度の位置制御が行われる。
【００５６】
本発明の第８の態様は、制御システムが、収縮を起こさせるほど十分には形状記憶合金アクチュエータを加熱しない選択的に第１の駆動信号である駆動信号、および収縮を起こさせるほど十分に形状記憶合金アクチュエータを加熱する第２の駆動信号を供給するように配置されているカメラレンズ駆動装置に関する。これは、カメラレンズエレメントを２つの位置に、恐らく限られた数の他の位置にも駆動することを意図されている基本制御システムである。典型的には、これらの位置のうちの１つが、公称的に、無限遠の焦点および他のクロースフォーカスまたは「マクロ」フォーカスを定める。このような制御システムは焦点位置の範囲にわたって連続的変化をもたらすシステムに比べて実装がかなり簡単になるという利点を有する。
【００５７】
装置の機械的設計により、ＳＭＡアクチュエータが収縮しない場合にカメラレンズエレメントの位置を固定することは簡単である。しかし、装置には、第２の駆動信号が収縮を起こさせるほど十分に形状記憶合金アクチュエータを加熱したときにカメラレンズエレメントの位置が変化する可能性があるという問題がある。一貫した第２の駆動信号であっても、ＳＭＡアクチュエータが収縮する程度も時期も異なる。
【００５８】
本発明の第８の態様によれば、カメラレンズ駆動装置が実現され、この装置は、
支持構造と、
光軸に沿って支持構造に相対的に可動要素の移動をガイドするサスペンションシステムによって支持構造上に支持されるカメラレンズエレメントと、
支持構造と可動要素との間に接続された形状記憶合金アクチュエータであって、加熱すると形状記憶合金アクチュエータの収縮により可動要素の前記移動が駆動される、形状記憶合金アクチュエータと、
駆動信号を形状記憶合金アクチュエータに供給するように配置された制御システムであって、駆動信号は選択的に、収縮を起こさせるほど十分には形状記憶合金アクチュエータを加熱しない第１の駆動信号および収縮を起こさせるほど十分に形状記憶合金アクチュエータを加熱する第２の駆動信号であり、制御回路は周囲温度を示す温度信号を受信し、周囲温度の上昇につれ加熱を減らす形で温度信号に応じて第２の駆動信号を変化させるように配置される、制御システムとを備える。
【００５９】
ＳＭＡアクチュエータの収縮の著しい変動は、周囲温度の変動によって引き起こされることは理解されている。これにより、ＳＭＡアクチュエータの冷却速度が変化し、したがって、所定の駆動信号により駆動されたときにＳＭＡアクチュエータの温度が変化する。
【００６０】
そこで、周囲温度を示す温度信号を利用する。携帯電話などの携帯型電子デバイスでは、そのような信号は頻繁に利用可能であり、例えば、ある程度任意の、ただし必ずしも均等目盛でない単位で内部周囲温度を表す単純なデジタル数として利用可能である。第２の駆動信号は、温度信号に応じて変化し、周囲温度が上昇すると加熱を減らす。そこで、周囲温度の変動の結果生じる変動をある程度補正することが行われる。実際、粗分解能を有する温度信号を使用した場合でも、ある周囲温度範囲にわたって位置決めの反復性の著しい改善が得られることがわかっている。さらに、電流源の電子回路をよけいに複雑にする必要もなく、電流源を制御するプロセッサによるごくわずかの処理量で済む。
【００６１】
本発明のさまざまな態様およびその特徴は、任意の組み合わせで一緒に使用されうる。
【００６２】
そこで、理解を深めるために、本発明の一実施形態について、付属の図面を参照しつつ、非制限的な実施例を使って説明する。
【図面の簡単な説明】
【００６３】
【図１】ＳＭＡ駆動機構を組み込んだカメラの略断面図である。
【図２】カメラの詳細斜視図である。
【図３】カメラの分解斜視図である。
【図４】カメラのＳＭＡアクチュエータの斜視図である。
【図５】カメラの詳細断面図である。
【図６】カメラの全体的制御機構の略図である。
【図７】制御回路の図である。
【図８】収縮時のＳＭＡの抵抗−長さの特性を示すグラフである。
【図９】制御回路に利用可能な３つの回路実装を示す図である。
【図１０】制御回路に利用可能な３つの回路実装を示す図である。
【図１１】制御回路で実装される制御アルゴリズムの流れ図である。
【図１２】図１１の制御アルゴリズムを使用する、時間の経過によるＳＭＡの抵抗を示すグラフである。
【図１３】代替え制御アルゴリズムの流れ図である。
【図１４】制御アルゴリズムの一部として実装される「ラチェッティング」法の流れ図である。
【図１５】代替え制御アルゴリズムの流れ図である。
【図１６】修正代替え制御アルゴリズムの流れ図である。
【図１７】図１１の制御アルゴリズムを使用する、時間の経過によるＳＭＡの抵抗を示すグラフである。
【図１８】ＳＭＡアクチュエータの取り付け部材の修正形態の斜視図である。
【図１９】修正形態の制御回路の図である。
【発明を実施するための形態】
【００６４】
まず最初に、ＳＭＡ駆動装置を組み込んだカメラ１の構造について説明する。カメラ１は、携帯電話、メディアプレーヤー、またはポータブルデジタルアシスタントなどの携帯型電子デバイスに組み込まれるものである。
【００６５】
カメラ１は、図１に簡略化して示されている。カメラ１は、ＣＣＤ（電荷結合素子）またはＣＭＯＳ（相補形金属酸化膜半導体）デバイスとすることができるイメージセンサー４が取り付けられているベース部３を有する支持構造２を備える。支持構造２は、さらに、イメージセンサー４が取り付けられているベース部３の前側から突き出ている環状壁５を備える。支持構造２は、プラスチック製としてよい。
【００６６】
カメラ１は、さらに、１つまたは複数のレンズ８からなるレンズ系７を保持するレンズエレメント６を備える。例えば、レンズ系７は、図１では、２つのレンズ８からなるものとして示されているが、一般には、単一レンズ８または複数のレンズ８を必要に応じて備え、光学性能と低価格との望ましいバランスをとるようにできる。カメラ１は、典型的には直径が最大で１０ｍｍのレンズ系７のレンズ８を備える小型カメラである。
【００６７】
レンズエレメント６は、レンズ系７の光軸Ｏがイメージセンサー４に垂直になるように配置される。この方法で、レンズ系７は、イメージセンサー４上に光を集束させる。
【００６８】
レンズエレメント６は、支持構造２の環状壁５とレンズエレメント６との間に接続されている２つのサスペンション要素(suspension element)１０からなるサスペンションシステム９によって支持構造２上に吊されている。サスペンションシステム９は、光軸Ｏに沿ってレンズエレメント６の移動をガイドする。レンズエレメント６のこのような移動は、イメージセンサー４上に形成される画像の焦点を変える。
【００６９】
次に、支持構造２のベース部３を省いた詳細斜視図である図２を参照しつつカメラ１の詳細な構造について説明する。
【００７０】
レンズエレメント６は、レンズキャリア２０とレンズキャリア２０の内側に形成された雌ネジ２２でレンズキャリア２０の内側に取り付けられているレンズホルダー２１を備える２部構成となっている。典型的には、レンズホルダー２１の直径は６．５ｍｍである。レンズキャリア２０の下側リムには、後述の金属リング１４が固定されている。レンズキャリア２０は、レンズエレメント６を吊すためにサスペンションシステム９に接続されている。レンズホルダー２１は、レンズ系７の１つまたは複数のレンズ８を取り付ける。レンズキャリア２０とレンズホルダー２１は両方とも、成形プラスチックで作ることができる。
【００７１】
次に、レンズエレメント６用のサスペンションシステム９について詳述する。サスペンションシステム９は、それぞれが切断整形された鋼鉄またはベリリウム銅などの各単一シート状材料から形成された２つのサスペンション要素１０を備える。可能な選択肢の１つは、高い降伏応力を備えるという利点を有する高圧延グレード３０２オーステナイト鋼である。サスペンション要素１０は、キャリア２０の対向端に取り付けられる。サスペンション要素１０のうちの１つのみが図２にわかりやすく示されているが、サスペンション要素１０は両方とも、以下のように同一の構造を有する。
【００７２】
それぞれのサスペンション要素１０は、レンズキャリア２０に接続された内側リング１１を備える。特に、内側リング１１は、レンズホルダー２１の外周に広がるようにレンズキャリア２０のそれぞれの端面に接続される。
【００７３】
それぞれのサスペンション要素１０は、さらに、支持構造２に接続された外側リング１２を備える。特に、外側リング１２は、支持構造２の環状壁５の端面の周囲に広がり、その端面に接続される。
【００７４】
最後に、それぞれのサスペンション要素１０は、内側リング１１と外側リング１２との間にそれぞれ延びる４つの湾曲部１３を備える。そこで、湾曲部１３は、対向端部のところでレンズエレメント６および支持構造２に結合される。光軸Ｏに沿って見たときに、湾曲部１３は、光軸Ｏの半径方向に対し傾斜している。そのため、湾曲部１３は、光軸の周りに広がる。湾曲部１３は、レンズキャリア２０の周りの、光軸Ｏを中心として回転対称となる異なる半径方向位置に配置される。さらに、湾曲部１３は、光軸Ｏに垂直な方向では幅よりも小さい光軸Ｏに沿った厚み（つまり、サスペンション要素１０を作った材料のシートの厚さ）を有する。サスペンションシステム９は、適切な幅、厚さ、および長さの適切な個数の湾曲部１３を持ち、光軸Ｏに沿って、またそれに垂直に、所望の剛性度を持つように設計されている。湾曲部１３は、典型的には、２５μｍから１００μｍまでの範囲の厚さを有する。湾曲部１３の個数は、サスペンション要素１０内の湾曲部１３の個数を変えることにより、および／または追加のサスペンション要素１０を備えることにより変えることができる。
【００７５】
湾曲部１３は、さらに、光軸Ｏに沿って見たときにその長さに沿って湾曲し、曲率が交互に変わる３つの領域を持つ。そのような曲率を湾曲部１３に導入することにより、一定度の歪み逃しが構造に加えられる。湾曲部１３が可塑的に変形する傾向が低減され、その代わりに湾曲部１３は、弾性的に曲がる傾向を有する。中心領域と反対の曲率を持つ外側領域を導入することにより、力の不平衡が減じ、内側リング１１と外側リング１２との連結部に発生する応力が低減される。そのため、湾曲部１３は、材料破壊を起こすことなく平面方向により柔軟になる。これは、半径方向および軸方向の剛性を受け入れがたいほど損なうことなく達成される。これにより、サスペンションシステム９は、湾曲部１３に対し永久的な損傷を引き起こすことなく機械的衝撃によって起こされる光軸Ｏの半径方向のレンズエレメント６の変位を受け入れることができる。この方向の変位を制限するために、カメラ１には、レンズエレメント６と支持構造２の壁５との間に例えば５０μｍ以下のオーダーの小さな間隙を設け、支持構造２の壁５が最大変位を制限するストッパーとして機能するようにする。
【００７６】
この効果を最大にするために、湾曲部１３の３つの領域は、好ましくは等しくない長さおよび曲率を有し、特に中心領域は外側領域に比べて大きな長さと小さい曲率を有する。有利には、中心領域は、例えば、３つの領域の長さの比が１：２．５：１となる、外側領域の長さの少なくとも２倍である長さを有する。有利には、中心領域は、例えば、それぞれの領域の長さと曲率の比が実質的に同じで、それぞれの領域によって定められる角度が実質的に同じになる、外側領域の曲率の最大半分である曲率を有する。
【００７７】
適宜、それぞれの平行な湾曲部の幅を減じることによりサスペンションシステム９が光軸の半径方向により柔軟になるようにするために、それぞれの湾曲部１３は平行な湾曲部の群からなるように修正されうる。この技術で実際に制限となるのは、平行な湾曲部を製造しうる際に合わせる最小の幅である。
【００７８】
２つのサスペンション要素１０は、レンズエレメント６と支持構造２との間に結合されている湾曲部１３を使って支持構造２上にレンズエレメント６を吊す。この構成により、湾曲部１３は、屈曲またはたわみによる光軸Ｏに沿ったレンズエレメント６の移動に対応できる。レンズエレメント６が、光軸Ｏに沿って移動するときに、内側リング１１は、外側リング１２に相対的に光軸Ｏに沿って移動し、その結果湾曲部１３が曲がる。
【００７９】
湾曲部１３が、その幅よりも小さい光軸Ｏに平行な厚さを有するので、湾曲部１３は、その幅の方向に曲がるのと比べて厚さ方向に曲がる場合により柔軟である。したがって、湾曲部１３により、サスペンションシステム９は、光軸Ｏに垂直な支持構造２に相対的なレンズエレメント６の移動に対する剛性度に比べて、光軸Ｏに沿った支持構造２に相対的なレンズエレメント６の移動に対する剛性度の方が低い。
【００８０】
さらに、２つのサスペンション要素１０は、光軸Ｏに沿って相隔てて並び、そのため、光軸Ｏに垂直なレンズエレメント６の移動に対する抵抗は、さらに、レンズエレメント６の傾きに対する抵抗ともなる。
【００８１】
レンズエレメント６の軸外れ移動および傾斜に対するこのような抵抗が望ましいのは、そのような軸外れ移動および傾斜が、イメージセンサー４に画像を結像する際にレンズ系７の光学性能を低下させる可能性があるからである。
【００８２】
支持構造２、レンズキャリア２０（金属リング１４を含む）、サスペンション要素１０、および２つの補強材要素(stiffener element)１５は、図３を参照しつつこれから説明するように部分組み立て品として製造される。これらのコンポーネントは、図３に示されているように積み重ねで配置される。支持構造２およびレンズキャリア２０上に形成される位置決めピン１６は、サスペンション要素１０内に形成される開口１７内に配置される。完全な積み重ねはジグで圧縮されるが、接着剤が、積み重ねの上部と底部の両方で、位置決めピン１６のそれぞれの端部に施される。好ましい接着剤は、ＵＶ硬化性も有するシアノアクリレートである。毛管作用により、接着剤が位置決めピン１６の周りに染み込み、異なる層を支持構造２およびレンズキャリア２０に結合する。接着剤が硬化した後、部分組み立て品をジグから取り外すことができる。接着剤の代わりに、ジョイントを形成して熱かしめを位置決めピン１６に施し、各部を機械的に保持するプラスチックヘッドを形成することも可能である。
【００８３】
それぞれの補強材１５は、それぞれサスペンション要素の内側リング１１および外側リング１２に適合し、剛性を持たせる２つのリング１８を備える。２つのリング１８は、部分組み立て品が組み立てられた後でしか取り外されないスプルー１９によって連結される。スプルー１９を使用することで、補強材１５のリング１８のジグによる取り付けに関する組み立てがやりやすくなり、コンポーネント数も少なくて済み、したがって部品コストも低減される。スプルー１９が取り外されると、外部荷重により支持構造２に相対的に上方にレンズキャリア２０を移動できる。
【００８４】
それに加えて、カメラ１は、図４に分離して例示されているＳＭＡアクチュエータ３０を備える。ＳＭＡアクチュエータ３０は、それぞれの端部で、それぞれの取り付け部材３２に機械的に、また電気的に接続されているＳＭＡワイヤ３１片を備え、これはそれぞれ細長い金属片、例えば真鍮片として形成される。特に、取り付け部材３２は、それぞれ、ＳＭＡワイヤ３１片上に圧着される。必ず適切な電気的接続部となるように、ＳＭＡアクチュエータ３０の製造時に、圧縮する前にＳＭＡワイヤ３１上に自然に形成する酸化物被膜が取り除かれる。
【００８５】
製造時に、ＳＭＡアクチュエータ３０は、カメラ１の残り部分と別に部分組み立て品として作られる。特に、ＳＭＡアクチュエータ３０は、取り付け部材３２を適所に保持し、ぴんと張ったＳＭＡワイヤ３１片を取り付け部材３２上に配置し、次いで、取り付け部材３２をＳＭＡワイヤ３１片上に圧着することにより製造される。次いでＳＭＡアクチュエータ３０は、以下のような配置でカメラ１内に組み立てられる。
【００８６】
２つの取り付け部材３２は、それぞれ支持構造２の環状壁５の外側に取り付けられ、ＳＭＡワイヤ３１片を支持構造２に接続するように適所に固定される。図２に示されているように、取り付け部材３２は、例えば接着剤、壁５のスウエージ加工、または他の何らかの手段により環状壁５内に設けられた陥凹部４０内に取り付けられる。
【００８７】
さらに、ＳＭＡワイヤ３１片は、レンズエレメント６に固定された金属リング１４の一体部分である保持要素(retaining element)４１上にフックされ、レンズエレメント６の外側に向かって突き出ている。ＳＭＡワイヤ３１片と接触している保持要素４１の表面は、ＳＭＡワイヤの最大曲率が減じるように湾曲させることができる。
【００８８】
カメラ１では、取り付け部材３２は、光軸Ｏを中心とする対角線上の対向点に配置される。保持要素４１は、光軸Ｏを中心とする２つの取り付け部材３２の間の中間に配置される。光軸に沿って見ると、ＳＭＡワイヤ３１の長さ部(lengths)４２は、カメラ１の側面に沿って互いに９０°に延びている。組み立てた後、平衡状態において、ＳＭＡワイヤ３１片は、少量の接着剤で適所に保持され、これにより、作動中または落下試験時に保持要素４１上の保持を確実なものとすることができる。これは、組み立て許容誤差をなくしやすいようにＳＭＡワイヤの循環使用の後に実行することができる。
【００８９】
保持要素４１は、ＳＭＡワイヤ３１片が圧着される取り付け部材３２の部分よりイメージセンサー４に近い光軸Ｏに沿った位置に配置される。その結果、保持要素４１のいずれかの側のＳＭＡワイヤ３１片の半分によって形成されるＳＭＡワイヤ３１の２つの長さ部４２は、光軸Ｏに対し鋭角をなして保持される。組み立て時に保持要素４１上で滑ることができれば、ＳＭＡワイヤ３１の２つの長さ部４２に対する等しい長さおよび張力を得やすくなる。
【００９０】
ＳＭＡワイヤ３１の長さ部４２は、特にイメージセンサー４から離れる方向にレンズエレメント６をバイアスする方向に、光軸Ｏに沿った成分を有する張力を加えるようにカメラ１内で張力をかけた状態に保持される。そのため、ＳＭＡワイヤ３１の長さ部４２の加熱がない場合、レンズエレメント６は、移動の範囲内でイメージセンサー４に最も近い位置にある。カメラ１は、この位置が遠視野焦点または過焦点に対応するように設計されるが、これは特にオートフォーカス機能が用意されている場合にカメラ１の最も普通の設定である。
【００９１】
それに加えて、ＳＭＡワイヤ３１のそれぞれの個別の長さ部４２により、光軸Ｏに垂直な成分を有する張力が加えられる。これらの力の成分のいくつかは、ワイヤの２つの長さ部４２の対称配置によって平衡するが、保持要素４１には光軸Ｏの半径方向の力の正味成分が残り、これは、レンズエレメント６を傾斜させる傾向を持つ。しかし、傾斜は、十分に小さくなるようにサスペンションシステム９の抵抗を受け、多くのレンズおよびイメージセンサーに適したものとなる。
【００９２】
次に、支持構造２に相対的に光軸Ｏに沿ってレンズエレメント６の移動を駆動するカメラ１の作動について説明する。
【００９３】
ＳＭＡ材料は、加熱するとＳＭＡ材料の収縮を引き起こす固体の相変化を受けるという特性を有する。低温で、ＳＭＡ材料はマルテンサイト相に入る。高温で、ＳＭＡはオーステナイト相に入り、ＳＭＡ材料の収縮を引き起こす変形を誘発する。相変化は、ＳＭＡ結晶構造の転移温度の統計的バラツキのせいで一定範囲の温度にわたって生じる。そこで、ＳＭＡワイヤ３１の長さ部４２に対し加熱を行うと、長さが縮む。
【００９４】
カメラ１において、ＳＭＡワイヤ３１の長さ部４２は張力をかけて配置され、イメージセンサー４から離れるようにレンズエレメント６を移動する方向でレンズエレメント６と支持構造２との間の光軸Ｏに沿って正味張力を発生する。この力は、光軸Ｏに沿って反対方向にサスペンションシステム９によって加えられるバイアス力に対抗して働く。湾曲部１３は、ＳＭＡワイヤ３１の長さ部４２からの張力に応じて曲がる。製造されたときの湾曲部１３は、光軸Ｏの半径方向に見てまっすぐである。曲がると、湾曲部１３は、わずかに湾曲を生じる可能性があるけれども、一般的にはまっすぐのままである。したがって、湾曲部１３が曲がると、ＳＭＡワイヤ３１の長さ部４２によって加えられる張力から反対方向にカメラレンズエレメント６がバイアスする。言い換えると、サスペンションシステム９は、ＳＭＡワイヤ３１の長さ部４２に対する受動的バイアス機構としてだけでなく、カメラレンズエレメント６を吊り、その移動をガイドする機能としても作用する機能を提供する。
【００９５】
収縮しないＳＭＡワイヤ３１の非加熱状態では、ＳＭＡワイヤ３１には張力がかかっており、これにより、レンズエレメント６はＳＭＡワイヤ３１がない場合の静止位置から離れる方向に変位する。この状態では、レンズエレメント６は、移動の範囲内でイメージセンサー４に最も近い位置にある。カメラ１は、この位置が遠視野焦点または過焦点に対応するように設計されるが、これは特にオートフォーカス機能が用意されている場合にカメラ１の最も普通の設定である。
【００９６】
中に生じる応力が増大するようにＳＭＡワイヤ３１の長さ部４２を加熱すると、ＳＭＡワイヤ３１の長さ部４２は収縮してイメージセンサー４からレンズエレメント６を離すように移動する。ＳＭＡワイヤの材料がマルテンサイト相からオーステナイトに転移する温度の範囲にわたってＳＭＡワイヤ３１の温度が上昇すると、レンズエレメント６は移動の範囲内で移動する。
【００９７】
逆に、中に生じる応力が減少するようにＳＭＡワイヤ３１の長さ部４２を冷却すると、湾曲部１３によってもたらされるバイアスにより、ＳＭＡワイヤ３１の長さ部４２が膨張し、レンズエレメント６をイメージセンサー４に向けて移動する。
【００９８】
光軸Ｏに沿って支持構造２に相対的なレンズエレメント６の移動を最大にするために、サスペンションシステム９の湾曲部１３の全体的剛性度は、好ましくは、（ａ）ＳＭＡ材料のオーステナイト相で生じるＳＭＡワイヤ３１の長さ部４２の全体的剛性度から（ｂ）ＳＭＡ材料のマルテンサイト相で生じるＳＭＡワイヤ３１の長さ部４２の全体的剛性度までの範囲内であり、より好ましくは値（ａ）と（ｂ）の幾何学的平均である。
【００９９】
湾曲部１３とＳＭＡワイヤ３１の長さ部４２の剛性度の合計によって与えられる、光軸Ｏに沿った支持構造２に相対的なレンズエレメント６の移動に対する全体的な剛性度は、カメラ１が向きを変えるときに重力下で支持構造２に相対的なレンズエレメント６の移動を最小にするのに十分な大きさであることが望ましい。典型的なレンズ系では、この移動は、望ましくは、最大５０μｍに制限され、典型的な小型カメラについては、このことは、全体的な剛性度が少なくとも１００Ｎ／ｍ、好ましくは少なくとも１２０Ｎ／ｍであるべきであることを意味する。
【０１００】
湾曲部１３は、レンズエレメント７が軸外れ運動および傾斜に対応できる程度に基づき、光軸Ｏに垂直な方向に支持構造２に相対的なレンズエレメント６の移動に対して所望の剛性度をもたらす適切な幅を備えるように設計される。ＳＭＡワイヤ３１の長さ部４２の剛性度も、考慮されるが、通常は、寄与度は小さい。
【０１０１】
他の設計上の考慮事項は、湾曲部１３およびＳＭＡワイヤ３１の長さ部４２で生じる最大応力がそれぞれの材料に対する過剰な応力とならないようにすることである。
【０１０２】
光軸Ｏに沿った支持構造２に相対的なレンズエレメント６の変位度は、ＳＭＡワイヤ３１の長さ部４２内に発生する応力に依存し、また光軸Ｏに対してＳＭＡワイヤ３１の長さ部４２がなす鋭角に依存する。ＳＭＡワイヤ内に発生しうる歪みは、相変化の物理的現象によって制限される。光軸Ｏに対しＳＭＡワイヤ３１の長さ部４２がなす鋭角のため、ＳＭＡワイヤの長さ部４２は、長さが変化すると向きも変わる。これにより、光軸Ｏに沿ったレンズエレメント６の変位度が、光軸Ｏに沿って解決されるＳＭＡの長さ部４２の長さの変化より高くなるように移動が効果的に連動する。一般に、鋭角は、任意の値をとりうるが、図２の実施例では約７０°である。
【０１０３】
光軸Ｏに沿った支持構造２に相対的なレンズエレメント６の位置は、ＳＭＡワイヤ３１の長さ部４２の温度の制御により制御されうる。作動中、ＳＭＡワイヤ３１の長さ部４２の加熱は、電流を通して抵抗加熱を行うことにより行われる。冷却は、電流を通すのを中止し、周囲への伝導によりＳＭＡワイヤ３１の長さ部４２を冷ますことによりなされる。電流は、さらに以下で説明される制御回路５０により制御される。
【０１０４】
ＳＭＡワイヤ３１は、好適な任意のＳＭＡ材料、例えば、ニチノールまたは他のチタン合金ＳＭＡ材料で作ることができる。有利には、ＳＭＡワイヤ３１片の材料組成および前処理は、（ａ）通常作動時に予想される周囲温度よりも高い、典型的には７０℃を超える温度範囲にわたって、（ｂ）位置制御の程度を最大にするためできる限り広く、相変化が生じるように選択される。
【０１０５】
レンズエレメント６の高速駆動は多くの用途、例えば、オートフォーカス機能が備えられている場合に、望ましい。駆動の応答速度は、ＳＭＡワイヤ３１の長さ部４２の冷却によって制限される。冷却は、ＳＭＡワイヤ３１の長さ部４２の厚さを減らすことにより高速化できる。考慮すべきカメラおよびワイヤのサイズに関して、冷却時間は、ワイヤ直径とともにほぼ直線的に変化する。このような理由から、ＳＭＡワイヤ３１の長さ部４２の厚さは、望ましくは、最大３５μｍであり、これにより、カメラ１でオートフォーカスを適用する場合に許容可能な応答が得られる。
【０１０６】
図５は、わかりやすくするためにレンズホルダー２１を省くことを除いて、カメラ１の詳細を示している。次に、図２に示されているものを超えるカメラ１の追加コンポーネントについて説明する。
【０１０７】
カメラ１は、支持構造２の壁５にクリップされ、接着されているスクリーニングカン４４を有する。壁５は、さらに、支持構造２のベース部３にも接着される。光軸Ｏに沿った方向で、レンズエレメント６とスクリーニングカン４４との間、およびレンズエレメント６とベース部３との間に間隙があり、光軸Ｏに沿ったレンズエレメント６を十分移動させることが可能であり、これによりイメージセンサー４上に画像を結像し、その一方で、サスペンションシステム９またはＳＭＡワイヤ３１の長さ部４２を損傷するであろう大きさの移動を妨げる。したがって、スクリーニングカン４４およびベース部３は、光軸に沿ってレンズエレメント６の移動に対するエンドストップを効果的に形成する。
【０１０８】
実際、ベース部３は、図１に概略が示されている以上の複雑さを有する構造を持つ。特に、ベース部３は、中央開口４５を有し、その背後にイメージセンサー４が取り付けられる。イメージセンサー４を取り付けるため、ベース部３は、開口４５の背後に、また開口４５の領域の外側に形成される出っ張り４５を有する。出っ張り４６には、画像回路基板４７が取り付けられ、その上に、イメージセンサー４が、光軸Ｏに沿って光を受け取るために開口４５に面し、また開口４５と位置を揃えるように形成される。適宜、開口４５は、画質を改善するために、またイメージセンサー４にほこりが付くのを防止するためのシールとしても、赤外線フィルターを装着することができる。
【０１０９】
ベース部３は、さらに、出っ張り４６の外側に配置され、後方に突き出る、突起壁４８を備える。駆動回路基板４９は、突起壁４８に取り付けられ、駆動回路５０がその駆動回路基板上に形成される。代替えの態様として、駆動回路５０がその下側に取り付けられている、両面を有する画像回路基板４７を使用することも可能である。他の代替えの態様では、制御回路５０をイメージセンサー４と同じチップに集積化する。それとは別に、同じ処理機能を、カメラ１の外部の電子デバイス内にあるが、他の目的のためにすでに存在している他のプロセッサによって実行することができる。
【０１１０】
カメラ１と同じ構造のカメラは、カメラ１に適用可能な構造および製造に関する追加の開示を含む同一出願人の国際特許出願番号ＰＣＴ／ＧＢ０７／００１０５０において説明されている。したがって、国際特許出願番号ＰＣＴ／ＧＢ０７／００１０５０は、参照により本明細書に組み込まれる。
【０１１１】
次に、制御回路５０の性質およびこの回路により実行される制御について説明する。
【０１１２】
全体的な制御機構の略図が図６に示されている。制御回路５０は、ＳＭＡワイヤ３１片に接続されており、制御回路５０は、電流をそのワイヤに流して、レンズエレメント６を移動し、イメージセンサー４上に形成される画像の焦点を変えるＳＭＡワイヤ３１片の温度を制御する。イメージセンサー４の出力は、制御回路５０に送られ、焦点の品質の尺度を決定するために処理される。
【０１１３】
制御回路５０は、図７に示されている。制御回路５０は、圧着を用いてＳＭＡワイヤ３１片に電気的に接続する取り付け部材３２のそれぞれに接続される。制御回路５０と取り付け部材３２との間の電気的接続部５５は、導電性接着剤（例えば、銀充填エポキシ）によって形成される。制御回路５０をＳＭＡアクチュエータ３０にハンダ付けすることは望ましくないが、それは、ハンダ付けプロセスにおける加熱により損傷が引き起こされる可能性があるか、またはハンダ付けプロセスによりフラックスの放出が引き起こされるからである。
【０１１４】
制御回路５０は、２つの取り付け部材３２の間に電流を流す。制御回路５０は、中を流れる電流の電力を変化させることによりＳＭＡワイヤ３１片の加熱の程度を制御する。制御回路５０は、レンズエレメント６の位置の尺度として使用されるＳＭＡワイヤ３１片の抵抗に応じて電流の電力を変化させる。温度センサーによって測定される温度などの位置の他の測定または位置センサーによって出力されるレンズエレメント６の位置の直接測定を使用することが可能であるが、抵抗センサーは、制御回路５０内の追加コンポーネントだけで実装されるためカメラのパッケージサイズを大きくしないという点で有利である。
【０１１５】
抵抗の使用の背後にある物理的現象は以下のとおりである。
【０１１６】
ＳＭＡを加熱すると、ほとんどの材料の場合のように温度とともに抵抗が増大する。これは、相変化が生じる（相転移範囲）、したがってＳＭＡが収縮する温度の範囲内および範囲外で生じる。しかし、相転移範囲内では、２つの他の効果が生じる。第１に、オーステナイト相は、温度とともに抵抗を増大させる傾向のあるマルテンサイト相よりも高い抵抗を持つ。しかし、対抗する効果は、幾何学的形状の変化が、長さの減少および断面積の増大を伴って、温度とともに抵抗を減少させる傾向を有することである。この対抗する効果は、他の効果に比べて著しく大きい。したがって、低温から加熱するときに、相転移範囲に到達し、ＳＭＡが収縮し始めると、抵抗の最初の増大の後、幾何学的形状効果が急速に支配的になり、その結果、収縮期間の大部分において、ＳＭＡアクチュエータの抵抗は減少する。これは、収縮の程度が下がり抵抗が上昇するようにＳＭＡのほぼすべてにおいて相変化が生じるときまで発生する。
【０１１７】
したがって、ＳＭＡは、温度上昇に対応してＳＭＡが収縮するときに長さが延びる、レンズエレメント６の位置ｘに対応する、ＳＭＡの長さに対するＳＭＡの抵抗のグラフである、図８に示されている形のカーブに沿って、抵抗が加熱および収縮時に長さとともに変化するという特性を有する。したがって、相転移範囲では、レンズエレメント６は、ＳＭＡの収縮により位置範囲Δｘ間を移動する。抵抗は、位置範囲Δｘの小さな最初の部分から抵抗値Ｒｍａｘを有する極大６０にわたって上昇する。抵抗は、位置範囲Δｘの大部分から抵抗値Ｒｍｉｎを有する極小６１にわたって下がるが、その後、位置範囲Δｘの小さな最後の部分で抵抗は上昇する。
【０１１８】
ＳＭＡ材料にはこのような特性があるため、制御回路５０は、以下のように測定抵抗に基づき制御を実行する。非加熱状態から、制御回路５０はＳＭＡワイヤ３１片を加熱し、極大抵抗値が検出されるようにする。これは、収縮が生じ始めたことを示す指標として使用される。実際、わずかな量の収縮がすでに発生している。しかし、抵抗極大６０は容易に検出できるが、位置範囲Δｘの開始は容易に検出できない。そこで、抵抗極大６０が使用され、これは位置範囲Δｘの開始に近いので移動の喪失は大きくない。
【０１１９】
これ以降、制御回路５０は、測定抵抗を位置の尺度として使用してＳＭＡワイヤ３１片を加熱する。極小抵抗６１は、位置範囲Δｘの終端を示すために使用される。実際、わずかな量の収縮がまだ利用可能である。しかし、極小抵抗６１は容易に検出できるが、位置範囲Δｘの終端は容易に検出できない。そこで、極小抵抗６１が使用される。これは位置範囲Δｘの終端に近いので移動の喪失は大きくない。さらに、極小抵抗６１よりも高い位置範囲Δｘを使用すると、以下で詳述するようにＳＭＡワイヤ３１片の寿命が縮む可能性がある。
【０１２０】
制御回路５０は、パルス幅変調（ＰＷＭ）を使用する。特に、制御回路５０は、パルス幅変調電流パルス（定電流または定電圧であってよい）を印加し、デューティサイクルを変えて印加される電流の電力、したがって加熱を変える。ＰＷＭを使用すると、供給される電力の量を細かい分解能で正確に制御できるため有利である。この方法では、駆動電力が低くても高い信号対雑音比が得られる。ＰＷＭは、知られているＰＷＭ技術を使用して実装されうる。典型的には、制御回路５０は、例えば５％から９５％までの範囲で変化するデューティサイクルで、電流パルスを連続的に供給する。デューティサイクルが、この範囲内で低い値をとる場合、ＳＭＡワイヤ３１片の平均電力は低く、したがって電流がある程度供給されていてもワイヤは冷える。逆に、デューティサイクルがこの範囲内で高い値をとる場合、ＳＭＡワイヤ３１片は加熱する。抵抗は、電流パルスが通されている間、例えば、パルスの開始から短い所定の遅延後に測定される。
【０１２１】
ＳＭＡワイヤ３１片を相転移範囲よりも下の冷えている状態から加熱する間、抵抗は、サンプル間で一貫する形で、連続する加熱サイクルにおいて、図８に示されているようにして位置とともに変化する。しかし、冷却時には、抵抗は類似の形のカーブに沿って変化するが、抵抗の変動は、サンプル毎にあまり反復性がなく、加熱に比べてヒステリシスが変動しやすい。これは、全体として冷却時に位置の尺度としての抵抗の使用を妨げないが、制御の精度を落とす。この問題は、位置制御が後述のようにサンプルの加熱時にのみ実行される所定の、反復される作動にしたがって制御回路５０によって回避される。
【０１２２】
制御回路５０は、以下のコンポーネントを備える。
【０１２３】
制御回路５０は、電流をＳＭＡワイヤ３１片に供給するように接続されている駆動回路５３を備える。駆動回路５３は、定電圧電流源または定電流電流源とすることができる。例えば、後者の場合には、定電流は、１２０ｍＡのオーダーとしてよい。
【０１２４】
制御回路５０は、さらに、ＳＭＡアクチュエータ３０の抵抗を検出するように配置された検出回路５４を備える。
【０１２５】
駆動回路５３が定電流電流源である場合、検出回路５４は、ＳＭＡワイヤ３１片の抵抗の尺度であるＳＭＡアクチュエータ３０にかかる電圧を検出するように作動可能な電圧検出回路であってよい。
【０１２６】
駆動回路５３が、定電圧電流源である場合、検出回路５４は、電流検出回路とすることができる。
【０１２７】
精度を高めるために、検出回路５４は、ＳＭＡアクチュエータにかかる電圧および電流を検出し、それらの比として抵抗の尺度を導出するように作動可能な電圧検出回路および電流検出回路を備えることができる。
【０１２８】
特に電気的接続部が、ハンダに比べて電気抵抗が変動しまたきわめて大きく、さらに有意な温度係数を有する導電性接着剤によって形成されると、電気的接続部５５の抵抗によって問題が生じる。検出回路５４は、実際に、ＳＭＡアクチュエータ３０および電気的接続部５５の全抵抗を測定する。したがって、電気的接続部５５の変動する、温度依存の抵抗のせいで、正確な位置制御を行おうとしたときに正確さの大きな問題が生じる。
【０１２９】
この問題は、これから説明するように、図１８に示されているようにそれぞれの取り付け部材３２を修正し、また図１９に示されているように制御回路を修正することにより解消される。
【０１３０】
それぞれの取り付け部材３２は、互いに隣接して配置され、間に間隙を設けて取り付け部材３２の残りの部分から突き出ている２つの独立した端子３３を備える。個別の電気的接続部５６および５７はそれぞれの端子に対し形成され、導電性接着剤によって前のように形成される。それぞれの取り付け部材３２の第１の電気的接続部５６は、駆動回路５３に接続される。それぞれの取り付け部材３２の第２の電気的接続部５６は、検出回路５４に接続される。さらに、検出回路５４は、ＳＭＡアクチュエータ３０にかかる電圧を検出するように作動可能な電圧検出回路である。これを使用して、ＳＭＡアクチュエータ３０の抵抗の尺度とする。好ましくは、駆動回路５３は、定電流電流源であり、ＳＭＡアクチュエータ３０にかかる電圧は、抵抗の直接的な尺度であるが、それとは別に、ＳＭＡアクチュエータ３０を通る電流を検出するように他の検出回路を配置することも可能である。
【０１３１】
検出回路５４は、電圧検出回路なので、駆動回路５３によって供給される電流に比べてかなり小さな電流を、典型的には有意な程度で引き込む。例えば、検出回路５４の入力抵抗は、典型的には、２５℃でＳＭＡアクチュエータ３０の抵抗の少なくとも１０倍である。これは、抵抗のせいで電気的接続部５７間で降下する電圧は、電気的接続部５５間で降下する電圧に比べて低いことを意味する。典型的には、電気的接続部５７の抵抗の効果は、無視できるくらい小さい。したがって、検出回路５４は、ＳＭＡアクチュエータ５０にかかる電圧を、正確に、また電気的接続部５７の抵抗と無関係に検出する。このようにして、抵抗の変動は、抵抗測定から除外することができ、したがってＳＭＡアクチュエータ３０の正確な位置制御を行うことができる。
【０１３２】
好適なマイクロプロセッサにより実装されたコントローラ５２が、パルス幅変調電流を供給するように駆動回路５３を制御する。コントローラ５２は、検出回路５４によって測定抵抗を受け取り、それに応じてＰＷＭ制御を実行する。
【０１３３】
制御回路５０の３つの詳細回路実装が図９および１０に示されている。
【０１３４】
図９の第１の回路実装は安価であるが、性能が限定的である。特に、駆動回路５３は、バイポーラトランジスタ１２０の単純な配置を使用して実装された定電流電流源である。電圧検出器回路５４は、ダイオード１２１と抵抗器１２２の対の単純ブリッジ回路構成として形成される。
【０１３５】
図１０の第２の回路実装はより正確であるが、高価である。特に、駆動回路５３は、オペアンプ１２４によって制御されるＭＯＳＦＥＴトランジスタ１２３によって実装された定電流電流源である。検出回路１２５は、２つの抵抗器１２５のブリッジ回路構成によって実装され、その出力はオペアンプ１２６によって増幅される。オペアンプ１２６により、コントローラ５２のＡ／Ｄコンバータは全ダイナミックレンジを利用できる。
【０１３６】
制御回路５０は、ＳＭＡアクチュエータの測定抵抗をフィードバック信号として使用し電流の電力を変化させて測定抵抗をターゲット値に調整する。特に、パルス幅変調電流のデューティサイクルは変化する。コントローラ５２は、デューティサイクルを変えるために多くの制御アルゴリズムを実行することができる。可能な方法の１つは、デューティサイクルが検出された抵抗とターゲットの抵抗との差に比例する量だけ変化させる比例制御である。ＳＭＡワイヤ３１片が活性温度領域上で加熱するときに、フィードバック制御技術で抵抗の減少が感知され使用される。フィードバック制御の安定性は、加熱時にＳＭＡワイヤ３１片それ自体の固有比例積分動作によって維持される。全体的フィードバック応答は、ＳＭＡワイヤ３１片の加熱の全体の応答によって決まる。このような比例制御フィードバックループで、正確な位置制御を行える。
【０１３７】
ＳＭＡワイヤ３１片は、その応答に少し非線形性を有する場合がある。このような非線形性は、制御回路５０に事前補正を組み込むことにより制限できる。オプションの１つは、事前補正が、例えば要求および要求信号の履歴に基づき駆動回路５３に供給される出力信号に対するゲインまたはオフセットモディファイアからなることである。これは、ＳＭＡワイヤ３１片を制御するのに存在するフィードバックが不十分である場合に最も有益である。
【０１３８】
制御回路５０は、オートフォーカスアルゴリズムを実行することができる。この場合、制御は、例えば、変調伝達関数または空間周波数応答といった画像の焦点の尺度に基づいており、変調伝達関数または空間周波数応答はイメージセンサー４からの画像信号からコントローラ５２によって導出される。さまざまな好適な尺度が知られており、そのような尺度を適用することができる。
【０１３９】
この場合、焦点の尺度の導出は低速であるという制限がある。これに対抗するため、多くの焦点位置におけるスキャン時に、焦点の尺度から決定された所望の焦点位置において、制御回路５０は抵抗値を決定することができる。次いで、スキャンの終わりに、レンズエレメント６が、焦点尺度ではなくその抵抗値に基づいた同じ位置に戻される。
【０１４０】
この場合、一次フィードバックパラメータを導出するために、イメージセンサー４からの画像信号が使用され、反復サイクルおよび寿命に対する二次パラメータとしての位置の尺度の絶対値のドリフトがあっても無関係であるが、それは単一オートフォーカスサイクルの過程で目立った変化がないからである。所定のカメラ１において、抵抗は、高温時の１０Ωから低温時の１２Ωまで、次いで、数１００ｋサイクルにわたって変化しうるが、これは、高温では１５Ωに、低温では２０Ωに変化しうる。しかし、所定のサイクルに対し、最良の焦点は、十分な精度で特定の抵抗に対応する。したがって、絶対値に関係なく、この特定の抵抗に戻るだけでよい。
【０１４１】
コントローラ５２によって実行されうる制御アルゴリズムの一実施例は、図１１に示されており、次にこれについて説明する。例えば、さらに図１２を参照すると、これはレンズエレメント６の抵抗が時間とともに変化する実施例を示している。この制御アルゴリズムでは、極大抵抗６０を基準として使用する。
【０１４２】
ステップＳ１で、カメラ１および制御回路５０に電力が供給される。ＳＭＡワイヤ３１の加熱されていない状態の断片は、マルテンサイト相である。
【０１４３】
ステップＳ２で、画像をキャプチャするコマンドが送られるのを待つ。コマンドを受信した後、焦点検出動作Ｏ１が実行され、その後続いて、合焦動作Ｏ２が実行される。
【０１４４】
焦点検出動作Ｏ１は、以下のステップを含む。
【０１４５】
ステップＳ３で、制御回路５０は、ＳＭＡワイヤ３１片を非加熱状態から加熱する。最初に、加熱は、最大デューティサイクルでパルス幅変調電流を供給する制御回路５０によって行われる。したがって、抵抗はカーブ７１で示されているように上昇する。加熱が続くと、極大抵抗７２が生じ、これは図８の抵抗極大６０に対応する。
【０１４６】
加熱中、コントローラ５２は、検出器回路５４によって検出されるＳＭＡワイヤ３１片にかかる電圧をＳＭＡワイヤ３１片の抵抗の尺度として監視し、極大抵抗７２を検出する。
【０１４７】
極大抵抗７２の検出後、ステップＳ４で、一連のターゲット値７３、７４が導出される。まず最初に、上限ターゲット値７３が検出された極大抵抗７２の抵抗値から導出される。上限ターゲット値７３は、ステップＳ３で検出された極大抵抗７２の抵抗値であってよいが、より好ましくは、その抵抗値から所定のデクリメントを引いた値であり、図８に示されているカーブの勾配が大きいほど、より正確な位置制御を行うことができる。次いで、上限ターゲット抵抗値よりも所定のデクリメントだけ低い所定の数の他のターゲット値７４が導出される。図１２では、わかりやすくするために、限られた数の他のターゲット値７４が示されているが、一般には、ターゲット値７３、７４はいくつあってもよい。実際、カメラ１が特に有利なのは、多数の位置に対し正確な位置制御を行うことが可能である点である。
【０１４８】
ターゲット値７３、７４は、この範囲にわたって直線的に配置されうるが、それとは別に、例えばその範囲の特定の部分に集中して不均一に分散させることも可能である。
【０１４９】
ステップＳ５からＳ７では、一連のターゲット値７３、７４についてスキャニングが実行される。これは、ステップＳ５で、その一連のターゲット値のうちの連続するターゲット値を、ＳＭＡワイヤ３１片がターゲット値のうちのその１つに合わせて加熱されるようにフィードバック制御ループに設定することにより実行される。こうして、図１２では、抵抗は、それぞれターゲット値７３、７４のうちの１つの値のレベルで連続するプラトー７５に駆動される。ターゲット値７３、７４が連続して減少すると、ＳＭＡワイヤ３１片の温度は、単調に上昇する。
【０１５０】
上限（初期）ターゲット値７３を求める場合、ステップＳ５では、後述のように「ラチェッティング」法を使用することができる。
【０１５１】
さらに、他のターゲット値７４を求めるときに、ステップＳ５では、後述のように安全ルーチンを使用することができる。
【０１５２】
測定抵抗がステップＳ５で所定のターゲット値７３、７４に到達した後、ステップＳ６で、イメージセンサーによって画像がキャプチャされ、イメージセンサー４によって出力される画像信号の焦点の品質の尺度が導出され、コントローラ５２のメモリ内に記憶される。
【０１５３】
ステップＳ７で、一連のターゲット値の中にターゲット値７４が残っているかどうかが判定される。残っている場合、抵抗極小に検出されていないならば、この方法はステップＳ５に戻り、プロセスがターゲット値７３、７４のそれぞれについて反復される。この方法で、スキャン時にＳＭＡワイヤ３１片が加熱されると、画像信号の焦点の品質が監視される。
【０１５４】
次に、ステップＳ５の一部を形成する安全ルーチンについて考察する。この一連のターゲット値７３、７４は、すべて、ＳＭＡワイヤ３１片の予想される特性に基づき、抵抗極小６１の予測される抵抗値よりも高いことが意図されている。しかし、ターゲット値が、例えばカメラ１のコンポーネントの製造許容誤差またはその寿命期間内のＳＭＡワイヤの物理的変化のせいで、抵抗極小６１の実際の抵抗値よりも低くなる危険性がある。これが生じた場合、フィードバックループの結果として、コントローラ５２は、到達不可能なターゲット値７４を求めようとしてＳＭＡの加熱を継続する可能性がある。このため、ＳＭＡワイヤ３１片が損傷するおそれがある。そこで、安全ルーチンがステップＳ５の一部として実行され、図８の抵抗極小６１に対応する、抵抗極小７６を検出するために測定抵抗が監視される。これが検出された場合、コントローラ５２は、即座に、ＳＭＡワイヤ３１片に供給される電力を低減する。次いで、新しいターゲット値７８が、検出された抵抗極小７４の抵抗値よりも所定のインクリメントだけ高い値に設定される。
【０１５５】
図１２は、最終の他のターゲット値７４が、抵抗極小７６の実際の抵抗値よりも低い一実施例を示している。この場合、最終の他のターゲット値７４を求めるためにステップＳ５で加熱すると、極小抵抗７６に到達する。このことが安全ルーチンによって検出され、電力が下げられて、これにより抵抗が他の極小抵抗７７を通じて反落する。これ以降、新しいターゲット値７８が、検出された極小抵抗７６よりも所定のインクリメントだけ高い値に設定される。新しいターゲット値７８は、ＳＭＡワイヤ３１片が加熱されその抵抗が新しいターゲット値７８のレベルのプラトー７９になるようにフィードバック制御ループに設定される。
【０１５６】
さらに、抵抗極小７６が検出された場合、これ以降、この一連の値の中の残りのターゲット値は使用されない。同様に、検出された抵抗極小７６の抵抗値は記憶され、ステップＳ４でその後、一連のターゲット値７３、７４が導出されるときに、記憶されている抵抗値よりも低いターゲット値７３、７４は、この一連のターゲット値から除去される。
【０１５７】
ステップＳ８で、焦点品質の記憶された尺度を使用して、焦点品質が許容可能なレベルにある制御信号の焦点値を導出する。最も単純には、これは、焦点品質の最良の尺度を有する複数のテスト値のうちから１つ選択することにより行われる。代替えとして、カーブフィッティング技術(curve-fitting technique)を使用してテスト値から最良の焦点が得られる抵抗の値を予測することが可能である。したがって、焦点値は、テスト値のうちの１つである必要はない。カーブフィット(curve fit)は、Ｍ＞１とするＭ次多項式など単純な数式であってよいか、またはその代わりに、代表的なシーンから事前に測定された曲線のライブラリから取り出した曲線への最良適合として選択してもよい。焦点値は、後から使用できるようにコントローラ５２のメモリ内に記憶される。図１２は、例えば記憶されている焦点値８０の一実施例を示している。
【０１５８】
ステップＳ５からＳ７の後に焦点値を決定する代わりに、別にステップＳ５からＳ７でオンザフライで決定することも可能である。
【０１５９】
合焦動作Ｏ２は、以下のステップを含む。
【０１６０】
ステップＳ９で、フライバックが発生する。特に、制御回路５０は、ＳＭＡワイヤ３１片を冷やしてマルテンサイト相に戻すことができる。これは、最小デューティサイクルを持つパルス幅変調電流を印加することにより実行されうるが、それとは別に、電流をまったく印加しないでも実行することが可能である。フライバック段階(flyback phase)の終わりを示すマルテンサイト相への転換は、検出器回路５４によって測定された電圧を監視するコントローラ５２により検出されうる。それとは別に、フライバック段階は、予想される作動条件の下でＳＭＡワイヤ３１片を冷やすことができる十分に長い時間となるように選択された所定の時間の間、単に維持するだけでよい。フライバックは、図１２に曲線８１で示されている。
【０１６１】
次に、ステップＳ１０で、制御回路５０は、ＳＭＡワイヤ３１片を加熱して、ステップＳ８で決定され記憶された焦点値に対応する位置に戻す。これは、記憶されている焦点値８０がターゲット値として使用されるフィードバック制御技術を適用する制御回路５２によって行われ、フィードバック信号として使用されるＳＭＡワイヤ３１片にかかっている測定された電圧は、その記憶されている焦点値８０に合わせて駆動される。温度上昇は、ここでもまた、焦点検出動作Ｏ１のように、単調である。したがって、図１２では、加熱の際に、抵抗はカーブ８２に示されているように変化し、次いで、記憶されている焦点値８０のレベルでプラトー８３に駆動される。
【０１６２】
上述のように、ステップＳ９を含めることにより達成されるフライバック技術の結果として、加熱サイクルで焦点値８０に接近するので、こうしてＳＭＡワイヤ３１片のヒステリシスの問題は解消される。したがって、レンズエレメント６は、記憶されている焦点値８０に対応する位置にあると知られる。
【０１６３】
これで画像の合焦が適切になされると、ステップＳ１１で、イメージセンサー４によって画像がキャプチャされる。キャプチャされた画像は、メモリに記憶される。
【０１６４】
コントローラ５２によって実行されうる代替え制御アルゴリズムの一実施例は、図１３に示されており、次にこれについて説明する。
【０１６５】
ステップＳ１で、カメラ１および制御回路５０に電力が供給される。ＳＭＡワイヤ３１の加熱されていない状態の断片は、マルテンサイト相である。
【０１６６】
電源投入直後に、制御回路は以下のステップを含む予備較正動作Ｏ３を実行する。
【０１６７】
ステップＳ３１で、制御回路５０は、ＳＭＡワイヤ３１片を非加熱マルテンサイト状態から加熱する。最初に、加熱は、最大デューティサイクルでパルス幅変調電流を供給する制御回路５０によって行われる。コントローラ５２は、検出器回路５４によって検出されるＳＭＡワイヤ３１片にかかる電圧をＳＭＡワイヤ３１片の抵抗の尺度として監視する。抵抗は、上述のように変化し、増大し、ＳＭＡワイヤ３１片が収縮し始めた後に極大抵抗６０を通り、減少し、次いで、収縮が止むと極小抵抗６１に到達する。
【０１６８】
ステップＳ３１で加熱すると、極大抵抗６０および極小抵抗６１は、制御回路５０によって検出される。
【０１６９】
極大抵抗６０が検出された後、加熱は、制御ループ内の連続的に低くなる抵抗の一連のターゲット値を設定することにより行われる。初期（上限）ターゲット値は、検出された極大抵抗６０の抵抗値より所定のデクリメントだけ小さい値である。初期ターゲット値を求める場合、後述のように「ラチェッティング」法を使用することができる。
【０１７０】
極小抵抗６１が検出された後、加熱は停止し、ＳＭＡワイヤ３１片は冷まされる。この状態で、電流がまったく印加されないか、さもなければ最小のデューティサイクルを持つパルス幅変調電流が印加される。
【０１７１】
ステップＳ３２で、抵抗範囲の大きさが導出される。抵抗範囲の大きさをコントローラ５２のメモリ内に記憶しておき、その後、ＳＭＡワイヤ３１片が加熱される際のターゲット値の範囲を導出するために使用することになる。抵抗範囲の大きさは、検出された極大抵抗の抵抗値と検出された極小抵抗の抵抗値との間の差、またはその差から、その差よりもかなり小さい所定の量を引いた値として計算される。後者は、上限および下限ターゲット値が通常極大および極小抵抗のちょうど内側に設定されるのでより典型的であり、図８に示されているカーブの勾配が大きければ大きいほど、フィードバック制御ループでより正確に位置制御を行うことができる。
【０１７２】
ステップＳ２で、画像をキャプチャするコマンドが送られるのを待つ。その後、焦点検出動作Ｏ１が実行され、その後続いて、合焦動作Ｏ２が実行される。
【０１７３】
焦点検出動作Ｏ１は、以下のステップを含む。
【０１７４】
ステップＳ３で、制御回路５０は、ＳＭＡワイヤ３１片を非加熱状態から加熱する。これは、上述のように、図１１の制御アルゴリズムのステップＳ３と同一である。
【０１７５】
極大抵抗６０の検出後、ステップＳ６１で、抵抗を変えるため一連のターゲット値を導出し、そこで、極大抵抗６０と極小抵抗６１との間の位置を求める。これは、上述のように、ターゲット値が異なる方法で導出されることを除き図１１の制御アルゴリズムのステップＳ６と同等である。上限ターゲット値は、ステップＳ３で検出された極大抵抗６０の抵抗値として導出されるか、またはより好ましくは、その抵抗値から所定のデクリメントを引いた値として導出され、図８に示されているカーブの勾配が大きいほど、より正確な位置制御を行うことができる。下限ターゲット値は、上限ターゲット値からステップＳ３２で記憶された抵抗範囲の大きさを引いた値として導出される。中間ターゲット値は、上限ターゲット値と下限ターゲット値との間の値として導出される。ターゲット値は、この範囲にわたって直線的に配置されうるが、それとは別に、例えばその範囲の特定の部分に集中して不均一に分散させることも可能である。
【０１７６】
極小抵抗６１は、焦点検出動作Ｏ１の一部では検出されないが、その値は、極大抵抗６０の新たに検出された抵抗値および較正動作Ｏ３で導出された検出された極大および極小抵抗の抵抗値の間の差から効果的に予測される。その差は、カメラ１の作動期間にわたって著しくドリフトする可能性はないので、これにより十分な精度が得られる。したがって、下限ターゲット値は、極小抵抗６１の抵抗値か、または少し高い値である。
【０１７７】
これ以降、焦点検出動作Ｏ１は、上述のように、図１１の制御アルゴリズムのステップＳ５からＳ８と同一であるステップＳ５からＳ８からなる。
【０１７８】
上述のように、合焦動作Ｏ２は、図１１の制御アルゴリズムの合焦動作Ｏ２と同一である。
【０１７９】
ステップＳ１１で、画像がイメージセンサー４によってキャプチャされる。キャプチャされた画像は、メモリに記憶される。
【０１８０】
もちろん、図１１および１３の方法で実行されるさまざまなステップの順序は、単なる一例にすぎず、変えることができる。例えば、焦点検出動作Ｏ１は、合焦動作Ｏ２および画像をキャプチャするステップＳ１１と無関係に実行されうる。
【０１８１】
上述の「ラチェッティング」法は、図１４に示されており、次に説明する。この方法は、ステップＳ２の一部として、および／またはステップＳ５の一部として使用されうる。
【０１８２】
「ラチェッティング」法の目的は、以下のように発生しうる障害状態を回避することである。非加熱状態にあるＳＭＡワイヤ３１片の平衡位置は、一般に、固定位置と考えられ、ＳＭＡワイヤ３１片で生じる力およびサスペンションシステム９からのバイアス力が平衡する位置とみなされる。
【０１８３】
しかし、実際には、平衡位置は、ときには通常の平衡位置を超えてＳＭＡワイヤ３１片を引き伸ばす効果を有する場合のある駆動装置の振動または衝撃の影響を受ける可能性がある。このような状況では、ＳＭＡワイヤ３１片を加熱した後、極大抵抗が検出され、その後、ステップＳ２およびＳ５で、ターゲット値が、検出された極大抵抗の抵抗値よりも所定のデクリメントだけ低い値に設定される。
【０１８４】
障害状態は、ターゲット値が、ＳＭＡワイヤ３１片がその通常平衡位置を超えて引き伸ばされていない場合に生じるであろう極大抵抗６０の抵抗値よりも大きい場合に発生する。これは、引き伸ばしの程度が、ターゲット値を導出するために使用される所定のデクリメントに関して十分に大きい場合である。この場合、ターゲット値が求められるときに、最初に高いデューティサイクルで電流を印加してＳＭＡワイヤ３１片を加熱すると抵抗の予想される減少が生じるが、これは、加熱によってＳＭＡワイヤ３１片が収縮するからである。ターゲット値に近づくか、またオーバーシュートすると、デューティサイクルが低減される。通常、この場合、測定抵抗を減少させてターゲット値に到達させるという予想される挙動が生じる。しかし、ＳＭＡワイヤ３１片が通常の平衡位置を超えてまだ引き伸ばされるので、電力が低減したときでも測定抵抗の減少を引き起こすＳＭＡワイヤ３１片の収縮がまだある。これにより、電力のさらなる低減が促進されうる。最終的に、制御回路５０は、ＳＭＡワイヤ３１片が最小レベルにまで冷却される障害状態に到達しうる。
【０１８５】
「ラチェッティング」法では、この障害状態を以下のように回避する。
【０１８６】
ステップＳ１０１で、制御回路５０は、ＳＭＡワイヤ３１片を加熱し、測定抵抗を監視して前のように極大抵抗を検出する。
【０１８７】
極大抵抗を検出した後、ステップＳ１０２で、制御回路５０は、ターゲット値を検出された極大抵抗の抵抗値よりも所定のデクリメントだけ低い値に設定する。これ以降、制御回路５０は、測定抵抗をターゲット値に調整しようとする。これが生じている間、ステップＳ１０３で、制御回路５０は供給される電流の電力および測定抵抗を監視し、供給される電流の電力の減少に測定抵抗減少が付随するという状態を検出する。これは、上述の障害状態を示す。その状態を検出したことに対する応答として、この方法は、ステップＳ１０１に戻り、そうして制御回路５０はＳＭＡワイヤ３１片を加熱して、新しい極大抵抗を見つける。このサイクルは、ステップＳ１０２で設定したターゲット値が、ＳＭＡワイヤ３１片がその通常平衡位置を超えて引き伸ばされていない場合に生じているであろう極大抵抗６０よりも低くなるまで繰り返される。この場合、ターゲット値に到達することができ、したがって作動は通常どおり進行する。
【０１８８】
上述のように、極大抵抗６０は、個々の駆動装置に対する収縮開始の信頼性および反復性のある尺度を実現する。しかし、駆動装置の製造および組み立てに固有の許容誤差の結果、異なる駆動装置間でのようにＳＭＡアクチュエータの抵抗が極大抵抗６０であるときに可動要素の絶対位置に関する不確定性が生じる。許容誤差は、駆動装置を慎重に設計することにより改善されうるけれども、許容誤差は、決して完全には取り除けない。
【０１８９】
この問題を解決する一方法は、ベース部３によって形成されるエンドストップの位置を変更することである。上述のように、ベース部３によって形成されるエンドストップは、衝撃によって引き起こされるレンズエレメント６の過剰な移動を防止するが、通常作動時にはレンズエレメント６と接触しない。しかし、ベース部３によって形成されるエンドストップの位置は、その代わりに、可動要素の移動を制限し、前記カーブ上の極大抵抗６０に対応する長さ以上である最大長を超えてＳＭＡワイヤ３１片が非加熱状態で伸長するのを妨げるように配置できる。この場合、ベース部３によって形成されるエンドストップは、ＳＭＡワイヤ３１片の伸長を制限し、ＳＭＡワイヤ３１片の歪みを低減するようにレンズエレメント６を効果的に持ち上げる。ＳＭＡワイヤ３１片を加熱しているときに、レンズエレメントをエンドストップから離す応力がＳＭＡワイヤ３１片内で十分なものとなるまで、収縮を引き起こすことなく相転換が最初に発生する。その後、エンドストップが存在していないとしても移動は駆動される。このことは、ＳＭＡワイヤ３１片の非加熱状態にあるレンズエレメント６の位置は、エンドストップの位置によって固定されることを意味する。
【０１９０】
この配置は、レンズエレメント６の移動範囲の開始位置が、ベース部３によって形成されるエンドストップの位置によって制御されるという利点を有する。エンドストップは、すべての製造されたカメラ１における支持構造に相対的な可動要素の位置に対する全体的な最大許容誤差についてＳＭＡワイヤ３１片の最大長が図８のカーブ上の極大抵抗６０に対応する長さ以下となるように位置決めされる。エンドストップは、比較的良い許容誤差で位置決めされうるので、これにより、レンズエレメント６の移動範囲の絶対開始位置に対する許容誤差が大幅に改善される。
【０１９１】
これは図８に例示されており、ＳＭＡワイヤ３１片の長さは、レンズエレメント６の位置ｘが小さくなると延びること、したがってエンドストップが、図８の左方向のレンズエレメント６の移動を妨げることを示している。図８は、カーブ上で極大抵抗６０に対応する長さＬＲＭを示している。図８は、さらに、カーブ上で、極大抵抗６０の抵抗Ｒｍａｘより、極大抵抗６０の抵抗Ｒｍａｘと極小抵抗６１の抵抗Ｒｍｉｎとの差のそれぞれ５％および４０％の量だけ低い抵抗に対応する長さＬ５およびＬ４０を示している。したがって、エンドストップは、ＬＲＭ以下の値であるＳＭＡワイヤ３１片の最大長を与えるように位置決めされる。
【０１９２】
より好ましくは、エンドストップは、Ｌ５以下の値（つまり、図８の右）であるＳＭＡワイヤ３１片の最大長を与えるように位置決めされうる。これは、図８に示されているカーブの勾配が大きいほど位置制御をより正確に行える位置から作動を開始するという利点を有する。
【０１９３】
しかし、ベース部３によって形成されるエンドストップの位置を変更することには、少なくともいくつかのカメラ１のレンズエレメント６の移動の有効範囲を狭めるという効果がある。典型的には、エンドストップは、妥当な大きさの移動範囲を維持するためにＬ４０以下の値（つまり、図８の左）であるＳＭＡワイヤ３１片の最大長を与えるように位置決めされる。しかし、代替えのアプローチでは、以下のように２部形態のレンズエレメント６によって行われる調節を利用する。
【０１９４】
カメラ１は、最初にレンズホルダー２１なしでレンズキャリア２０を適所に取り付けて、レンズキャリア２０の各種接続すべてが済んでからレンズホルダー２１を取り付けるという方法で組み立てられる。ネジ山２２を使用することで、キャリア６に相対的に、したがってイメージセンサー４に相対的に光軸Ｏに沿ってレンズ系７の位置を調節することが可能である。製造許容誤差により生じるレンズ系７内のレンズ８の焦点長さおよび相対的位置の変動に対応できるように組み立ての際にこのような調節が行われる。これ以降、レンズ系７は、レンズキャリア２０に相対的に同じ位置に固定されたままとなる。
【０１９５】
特に、レンズホルダー６の位置は、無限遠から過焦点距離までの範囲内の距離、つまり遠視野焦点にある物体の画像をイメージセンサー４上のレンズ系７によって結像するように調節される。
【０１９６】
しかし、駆動が温度の変化によって駆動されるという事実から、潜在的問題が生じることが理解されている。このことは、使用しているときに周囲温度が高いと、ＳＭＡワイヤ３１片が製造時の状態と比較して非加熱状態において収縮する可能性があることを意味する。遠視野焦点が製造時の温度に基づいて設定されている場合、これの結果として、より高い周囲温度で使用したときに、遠視野焦点の近くで焦点範囲の一部が喪失する可能性がある。この問題に取り組むために、ＳＭＡワイヤ３１片が周囲温度よりも高い所定の温度に加熱されたときに遠視野焦点が得られるようにレンズホルダー６の位置の調節が実行される。これは、調節を実行するか、またはＳＭＡワイヤ３１片がそのような加熱時に収縮するという事実を考慮して調節を実行するときに実際にＳＭＡワイヤ３１片を加熱することにより行える。その結果、合焦は、予測されるすべての周囲温度において遠視野焦点までずっと延長する範囲にわたって実現されうる。
【０１９７】
極大抵抗６０は、個別の駆動装置に対する収縮開始の信頼性および反復性のある尺度をもたらすけれども、極大抵抗を検出したときに可動要素の位置が変化すると、その後の作動における可動要素の位置もそれに応じて変化するという問題が残っている。この結果、極大抵抗に対応する可動要素の位置が変化する可能性があるときに、特に高い周囲温度において位置制御が変わりやすいことがある。
【０１９８】
それに加えて、周囲温度が十分に高く、抵抗がすでに極大値を超えてしまっているという危険性もある。この場合、第１の位置ゾーン（カメラレンズエレメントの場合には焦点ゾーン）の位置が変化する。これは、ある温度範囲にわたって、制御可能な位置が絶対アクチュエータ位置に関して変化しうることを意味する。これは望ましいことではない。例えば、カメラレンズエレメントのオートフォーカスアルゴリズムの場合に、画質に関係なくカメラが近似的遠焦点（無限遠の焦点）位置に移動することが望ましければ、これは、その温度範囲にわたって妥当な精度でアクチュエータが絶対位置に設定されることを必要とする。
【０１９９】
この問題は、極小抵抗６１が基準として極大抵抗の代わりに使用される制御アルゴリズムを使用することにより軽減されうる。極小抵抗６１の位置は、極大抵抗６２の位置と比較して安定していることが観察された。特に、この位置は、周囲温度とともに変化することはない。これは、極小抵抗でのＳＭＡの温度は、周囲温度範囲から十分に外れており、したがって、極小抵抗に対応するアクチュエータ位置も、作動温度範囲にわたって変化しないからである。これにより、位置決めを正確に行うことができ、したがって合焦制御も正確になる。
【０２００】
極小抵抗６１を基準として使用し、コントローラ５２によって実行されうる代替え制御アルゴリズムの一実施例は、図１５に示されており、次にこれについて説明する。これは、レンズをユーザーによって要求された焦点ゾーンに移動する単純な制御アルゴリズムである。
【０２０１】
最初、ＳＭＡワイヤ３１片は非加熱状態であり、したがってマルテンサイト相にある。
【０２０２】
ステップＳ５１で、制御回路５０は、ＳＭＡワイヤ３１片を非加熱状態から加熱する。最初に、加熱は、最大デューティサイクルでパルス幅変調電流を供給する制御回路５０によって行われる。加熱中、ＳＭＡワイヤ３１片の抵抗は、図８に示されているカーブに沿って移動する。コントローラ５２は、検出器回路５４によって検出されるＳＭＡワイヤ３１片にかかる電圧をＳＭＡワイヤ３１片の抵抗の尺度として監視し、極小抵抗６１を検出する。
【０２０３】
極小抵抗６１を検出した後、ステップＳ５２で、極小抵抗６１の検出された抵抗値からターゲット値が導出される。特に、ターゲット値は、極小抵抗６１の検出された抵抗値よりも所定のインクリメントだけ高く導出される。この所定のインクリメントの大きさは、ユーザーによって要求される焦点ゾーンに依存する。
【０２０４】
ステップＳ５３で、フライバックが発生する。特に、制御回路５０を使用することで、ＳＭＡワイヤ３１片を冷やしてマルテンサイト相に戻すことができる。これは、最小デューティサイクルを持つパルス幅変調電流を印加することにより実行されうるが、それとは別に、電流をまったく印加しないでも実行することが可能である。フライバック段階の終わりを示すマルテンサイト相への転換は、検出器回路５４によって測定された電圧を監視するコントローラ５２により検出されうる。それとは別に、フライバック段階は、予想される作動条件の下でＳＭＡワイヤ３１片を冷やすことができる十分に長い時間となるように選択された所定の時間の間、単に維持するだけでよい。
【０２０５】
ステップＳ５４で、制御回路５０は、ＳＭＡワイヤ３１片を加熱するが、その際に、ステップＳ５２で導出されたターゲット値をフィードバック制御ループに設定することにより電力を制御し、これによりＳＭＡワイヤ３１片をそのターゲット値まで加熱する。極小抵抗６１における位置が安定し、温度による変化がないので、ＳＭＡワイヤ３１片がターゲット値に到達したときに得られる焦点は、信頼性があり、また反復性がある。
【０２０６】
これで画像の合焦が適切になされると、ステップＳ５５で、イメージセンサー４によって画像がキャプチャされる。キャプチャされた画像は、メモリに記憶される。
【０２０７】
図１５の制御アルゴリズムは、図１６に示されているような、またこれから説明される、オートフォーカス制御アルゴリズムを構成するように修正されうる。例えば、さらに図１７を参照すると、これはレンズエレメント６の抵抗が時間とともに変化する実施例を示している。
【０２０８】
ステップＳ５０で、カメラ１および制御回路５０に電力が供給される。ＳＭＡワイヤ３１の加熱されていない状態の断片は、マルテンサイト相である。
【０２０９】
ステップＳ５１で、制御回路５０は、最大のデューティサイクルでパルス幅変調電流を供給することによりＳＭＡワイヤ３１片を加熱する。コントローラ５２は、検出器回路５４によって検出されるＳＭＡワイヤ３１片にかかる電圧をＳＭＡワイヤ３１片の抵抗の尺度として監視し、極小抵抗９０を検出する。
【０２１０】
極小抵抗９０を検出した後、ステップＳ５２で、極小抵抗９０の検出された抵抗値から一連のターゲット値９１が導出される。特に、それぞれのターゲット値９１は、極小抵抗９１の検出された抵抗値よりもそれぞれの所定のインクリメントだけ高く導出される。一般に、ターゲット値９１はいくつあってもよい。実際、カメラ１が特に有利なのは、多数の位置に対し正確な位置制御を行うことが可能である点である。ターゲット値９１は、この範囲にわたって直線的に配置されうるが、それとは別に、例えばその範囲の特定の部分に集中して不均一に分散させることも可能である。
【０２１１】
ステップＳ５３で、図１５を参照しつつ上で説明されているようにフライバックが発生する。抵抗は、図１７のカーブ９２で示されているように上昇する。
【０２１２】
ステップＳ５６で、画像をキャプチャするコマンドが送られるのを待つ。コマンドを受信した後、焦点検出動作Ｏ３が実行され、その後続いて、合焦動作Ｏ４が実行される。
【０２１３】
焦点検出動作Ｏ３は、以下のステップを含む。
【０２１４】
ステップＳ５７からＳ５９で、一連のターゲット値９１についてスキャニングが実行される。これは、ステップＳ５７で、その一連のターゲット値９１のうちの連続するターゲット値を、ＳＭＡワイヤ３１片がターゲット値９１のうちのその１つに合わせて加熱されるようにフィードバック制御ループに設定することにより実行される。こうして、図１７では、抵抗は、それぞれターゲット値９１のうちの１つの値のレベルで連続するプラトー９３に駆動される。ターゲット値９１が連続して減少すると、ＳＭＡワイヤ３１片の温度は、単調に上昇する。
【０２１５】
初期ターゲット値９１を求める場合、ステップＳ５７では、前述のように「ラチェッティング」法を使用することができる。
【０２１６】
測定抵抗がステップＳ５７で所定のターゲット値９１に到達した後、ステップＳ５７で、イメージセンサー４によって画像がキャプチャされ、イメージセンサー４によって出力される画像信号の焦点の品質の尺度が導出され、コントローラ５２のメモリ内に記憶される。
【０２１７】
ステップＳ５９で、一連のターゲット値に残りのターゲット値９１が残っているかどうかが判定される。残っている場合、この方法はステップＳ５７に戻り、プロセスがターゲット値９１のそれぞれについて反復される。この方法で、スキャン時にＳＭＡワイヤ３１片が加熱されると、画像信号の焦点の品質が監視される。
【０２１８】
ステップＳ６０で、焦点品質の記憶された尺度を使用して、焦点品質が許容可能なレベルにある制御信号の焦点値を導出する。最も単純には、これは、焦点品質の最良の尺度を有する複数のテスト値のうちから１つ選択することにより行われる。代替えとして、カーブフィッティング技術を使用してテスト値から最良の焦点が得られる抵抗の値を予測することが可能である。したがって、焦点値は、テスト値のうちの１つである必要はない。カーブフィットは、Ｍ＞１とするＭ次多項式など単純な数式であってよいか、またはその代わりに、代表的なシーンから事前に測定されたカーブのライブラリから取り出したカーブへの最良適合として選択されうる。焦点値は、後から使用できるようにコントローラ５２のメモリ内に記憶される。図１７は、例えば記憶されている焦点値９５の一実施例を示している。
【０２１９】
ステップＳ５７からＳ５９の後に焦点値９５を決定する代わりに、別にステップＳ５７からＳ５９でオンザフライで決定することも可能である。
【０２２０】
合焦動作Ｏ４は、以下のステップを含む。
【０２２１】
ステップＳ６１で、ステップＳ５３について上で説明されているようにフライバックが発生する。抵抗は、図１７のカーブ９６で示されているように上昇する。
【０２２２】
次に、ステップＳ１０で、制御回路５０は、ＳＭＡワイヤ３１片を加熱して、ステップＳ６０で決定され記憶された焦点値９５に対応する位置に戻す。これは、記憶されている焦点値９５がターゲット値として使用されるフィードバック制御技術を適用する制御回路５２によって行われ、フィードバック信号として使用されるＳＭＡワイヤ３１片にかかっている測定された電圧は、その記憶されている焦点値９５に合わせて駆動される。温度上昇は、ここでもまた、焦点検出動作Ｏ３のように、単調である。したがって、図１７では、加熱の際に、抵抗はカーブ９７に示されているように変化し、次いで、記憶されている焦点値９５のレベルでプラトー９８になる。
【０２２３】
上述のように、ステップＳ６１を含めることにより達成されるフライバック技術の結果として、加熱サイクルで焦点値９５に接近するので、こうしてＳＭＡワイヤ３１片のヒステリシスの問題は解消される。したがって、レンズエレメント６は、記憶されている焦点値９５に対応する位置にあると知られる。
【０２２４】
これで画像の合焦が適切になされると、ステップＳ６３で、イメージセンサー４によって画像がキャプチャされる。キャプチャされた画像は、メモリに記憶される。
【０２２５】
他の問題は、ＳＭＡワイヤ３１片の寿命である。ＳＭＡワイヤは、長く使えるように電気駆動を行っている最中には慎重に取り扱われなければならない。正しく駆動されるＳＭＡワイヤであれば、１０万サイクルにも耐える。カメラ１は、通常、所定の寿命、典型的には約３００，０００サイクルあるいは場合によってはそれ以上の寿命を持つ必要がある。ＳＭＡワイヤの駆動が正しくない場合には、損傷し、破砕したり、または寿命が尽きる前にその性能が仕様から外れる。
【０２２６】
次に、損傷の原因の１つについて、ＳＭＡ材料の抵抗−長さカーブを示す図８を参照しつつ説明する。位置範囲Δｘの上限において、とりわけ極小抵抗６１よりも高い場合に、ＳＭＡ材料の大半は、マルテンサイト相からオーステナイト相へと転換してしまう。所定の温度における不完全転移のこの不均一効果は、ＳＭＡ結晶構造の転移温度の統計的バラツキのせいで生じる。さらに加熱すると、さらに収縮しうるが、比較的少ないＳＭＡ結晶に負荷がかかる。ＳＭＡ材料のこれらの部分は、比較的重い負荷を受けることになり、結果として構造物への損傷をもたらす。この領域内で繰り返し作動させると、この損傷は、ＳＭＡアクチュエータの所望の寿命に到達する前にＳＭＡワイヤ３１片が破砕するか、またはその性能が仕様から外れることになるところまで悪化しうる。
【０２２７】
したがって、このような損傷の危険性を制限するために、多くの技術が用いられうる。
【０２２８】
第１のアプローチは、極小抵抗６０に到達または通るのを防止することである。これは、カメラ１の変位性能を減らすことにより達成されうる。しかし、カメラ１の変位を減らすと、性能仕様が許容できないレベルに下がる可能性がある。この効果は、カメラ１内に組み立てるときにＳＭＡワイヤ３１の長さ部４２の残り長さ分を減らしてその歪みを高めることにより対処されうる。ＳＭＡワイヤ３１の長さ部４２を縮め、静止状態の歪みを大きくする効果は、結果として、所定の温度上昇に対するワイヤの長さ縮小割合を大きくすることにつながる。この結果、所定の温度上昇に対しレンズエレメント６の公称移動が大きくなる。したがって、温度の上昇は、極小抵抗６１に到達するのを妨げるレベルに制限されうる。これは、製造許容誤差の限界においてすべてのカメラ１用の安全な値になっている、極大抵抗からの抵抗の最大の変化を指定することにより行われる。
【０２２９】
しかし、スクリーニングカン４４によって形成されるエンドストップを考慮して、このアプローチを使用する場合には注意しなければならない。レンズエレメント６が加熱時にそのエンドストップと接触した場合、ＳＭＡワイヤ３１片の損傷の可能性はきわめて高い。これは、最大電力駆動電流が連続的に投入される制御回路５０の障害状態において発生しうる。したがって、スクリーニングカン４４によって形成されるエンドストップをさらに遠くまで移動する必要がある場合があるが、それは、製品サイズが大きくなったり、湾曲部１３の保護が低下したりするので望ましくない。
【０２３０】
上述の制御アルゴリズムのステップＳ５の安全ルーチンは、さらに、極小抵抗が検出されるとすぐに電力を下げることにより短い期間にすぎなくてもＳＭＡワイヤ３１片が極小抵抗６１よりも高い状態に曝されることのないようにする。
【０２３１】
最大電力駆動電流が連続的に投入されうる制御回路５０の故障モードがないようにすることが重要である。最大電力駆動電流を単純に、安全な（連続的）作動レベルに制限するというのは、最大加熱率を大幅に下げる可能性があるため、最適な解決手段と言えない。それとは別に、フェールセーフ機構のある電子回路に依存するのが望ましくない場合には、電力供給を絶つためにエンドストップの位置と似た位置にスイッチを導入するとよい。しかし、これは、カメラモジュール内の他の構成要素に対する損傷を防止することができない。
【０２３２】
レンズエレメント６があまりに遠くまで移動しすぎ、ＳＭＡワイヤ３１片の破損が生じるという他のケースもあり、これは、高い周囲温度で作動しているときに生じる。約５０℃を超える温度などの高温で作動する場合、ＳＭＡワイヤ３１片は、作動が戻って極大抵抗６０を超えた後十分な冷却と収縮が決して生じない可能性がある。この場合、例えば図１３のステップＳ５で、ＳＭＡワイヤ３１片を加熱する初期段階では、加熱は、レンズエレメントがスクリーニングカン４４によって形成されるエンドストップと接触しそれにより損傷を引き起こすまで、極大抵抗６０を検出することなく連続的に実行されうる。
【０２３３】
これが発生するのを防止するために、制御回路５０は、最初の使用で極大抵抗６０の抵抗値を検出して記憶する。抵抗が、ワイヤ加熱で減じると検出された場合（つまり、高い周囲温度のせいで）、制御回路５０は、極大抵抗６０の抵抗値と最大変位に対し選択された抵抗変化値の合計の抵抗値に変位を制限する。抵抗が最初の使用での加熱で減じると検出された場合、制御回路５０は、制御アルゴリズムをアボートして、その代わりにＳＭＡワイヤ３１片を冷やすようにしなければならない。極大抵抗６０が検出されうるような周囲温度条件となるまで、この場合が続く。
【０２３４】
第２のアプローチでは、極小抵抗６１に到達するのを許すが、これが生じる量および／または頻度を減らす。
【０２３５】
極力小さな量だけ極小抵抗６１を超えるように加熱を制限するには、高分解能のアナログ−デジタルコンバータ（ＡＤＣ）を使用することによって達成されうる。これにより、測定可能な抵抗変化の増分をできる限り小さなものにできる。最下位ビット（ＬＳＢ）が、この測定可能な抵抗増分のサイズを決定する。したがって、ＬＳＢは、高分解能のＡＤＣではできる限り小さくし、最小抵抗点を越えるＬＳＢの最大許容数は、信号対雑音比（ＳＮＲ）が受け入れがたいほどにならないようにして、できる限り小さくなければならない。受け入れがたいほど高いＳＮＲだと、カメラは、極小抵抗６１を越える誤りの抵抗値を誤って検出することで予測可能な挙動を示す可能性がある。
【０２３６】
極小抵抗６１を超える加熱の頻度を制限するには、カメラ１が最大および最小のワイヤ抵抗を測定し、特性化する機会を減らすことによって達成されうる。これは、予備較正動作Ｏ３を使用して抵抗範囲の大きさを導出することにより図１３の代替え制御アルゴリズムで行われる。したがって、焦点検出動作Ｏ１において、ＳＭＡワイヤ３１片は、極小抵抗６１を超えて加熱されることはない。予備較正動作Ｏ３は、電源投入時のみ実行され、そのため、それぞれの画像キャプチャで実行される焦点検出動作Ｏ１に比べて実行頻度が低い。したがって、ＳＭＡアクチュエータは、焦点検出動作が実行される毎に極小抵抗６１に達する状況と比較して極小抵抗６１を超えて加熱されることはあまり頻繁でない。
【０２３７】
それとは別に、制御回路５０は、レンズエレメント６が２つの位置、つまり遠焦点位置およびマクロ位置のうちの一方の位置に駆動されるオートマクロ機能を実装することができる。遠焦点位置では、レンズエレメント６は、移動の範囲内でイメージセンサー４に最も近い位置にあり、レンズエレメント６は、イメージセンサー４上に遠視野または過焦点を形成する。マクロ位置では、レンズエレメント６は、移動の範囲内でイメージセンサー４から最も遠い位置にあり、レンズエレメント６は、イメージセンサー４上に近視野焦点を形成する。
【０２３８】
遠焦点位置を選択するために、駆動回路５０は、無電流の第１の駆動信号をＳＭＡワイヤ３１に供給する（または代替的に、消費電力を増やすため望ましくないけれども、ＳＭＡワイヤ３１の収縮を引き起こすには不十分な非常に低い電流を供給する）。この場合、ＳＭＡワイヤ３１は、サスペンションシステム９によって与えられるバイアス力よりも小さな力を及ぼす。ＳＭＡワイヤ３１は、弛んでいてもよい。サスペンションシステム９は、移動を制限するベース部３によって形成されたエンドストップに対しレンズエレメント６をバイアスするように配置され、遠焦点位置においてレンズエレメント６の位置を決定する。カメラ１の最も一般的な設定である遠焦点位置では電力は消費されない。
【０２３９】
マクロ位置を選択するために、駆動回路５０は、十分な電力を持つ第２の駆動信号を供給して、サスペンションシステム９によって与えられるバイアス力よりも大きな力でＳＭＡワイヤ３１を収縮させ、レンズエレメント６を収縮度で決まる位置に押しやる。遠焦点位置では電力は連続的に消費される。
【０２４０】
オートマクロ機能を実装する場合、駆動回路５０は、例えば駆動回路５３を例えば半導体スイッチ（例えば、ＦＥＴまたはＢＦＴ）を使用する、移動の制御に単純にスイッチオン、スイッチオフされるソースとして配置することにより非常に単純に、また安価に構成されうる。検出回路５４は、場合によっては省くことができる。オートマクロ機能を実装するいくつかのオプションは以下のとおりである。
【０２４１】
最も単純な実施形態は、第２の駆動信号が固定された定電流であり、典型的にはＳＭＡアクチュエータ３０の構成に応じて１０ｍＡから１００ｍＡの範囲の大きさを持つものである。直径２５μｍ程度のサイズの細いワイヤでは、約３０から５０ｍＡの電流が典型的ではあるが、これは、電流が削減された周囲温度に応じて変わる。
【０２４２】
カメラ１を使用できる電話などの多くの種類の携帯型電子デバイスでは、定電流源（多くの場合、プロセッサからのデジタル値によって調節可能）は、すでに利用可能であり、そのような定電流源は、ＶＣＭレンズポジショナーを駆動するために使用されることが多く、またこれは、デバイスに電子回路を付加して余分なコストをかけることなく使用されうる。この単純な実施形態は、非常に安価に実装することができるが、異なるＳＭＡアクチュエータ３０では焦点位置の反復性が劣り（ただし、固定電圧駆動の場合よりも反復性に優れる）、また周囲温度変動に対する位置決め精度が劣る。所定の周囲温度で所定の焦点位置において安定化に要する時間も、ＳＭＡワイヤ３１の電気抵抗自己加熱が指数関数的に増大するため極めて長くなる。
【０２４３】
他の実施形態では、コントローラ５２は、温度センサー５８からの周囲温度を示す温度信号を受信する。このような温度信号は、携帯電話システムなどの携帯型デバイス内で、ある程度任意の、ただし必ずしも均等目盛でない単位で内部周囲温度を表す単純なデジタル数として頻繁に利用可能である。コントローラ５２は、駆動回路５３を制御し、例えば周囲温度に応じて電流の大きさを制御することにより、第２の駆動信号の電力を変化させる。特に、第２の駆動信号の電力は、周囲温度が上昇すると減少する。このようにして、粗い分解能を有する温度信号を使用する場合でも、一定範囲の周囲温度での反復性を大幅に改善するレンズエレメント６の位置の開ループ温度補償がなされる。ＳＭＡアクチュエータ３０の収縮の著しい変動は、周囲温度の変動によって引き起こされ、これが、ＳＭＡアクチュエータ３０の冷却率を変え、その結果温度を変える。
【０２４４】
温度信号の所定の値と第２の駆動信号との機能上の関係は、カメラ１の設計の前に、実験または理論またはその両方により導出される。作動中、例えば計算により、またはルックアップテーブルを使用して、この機能上の関係に従って変化させる。こうしても、駆動回路５３を余計に複雑にしなくて済み、またコントローラ５２による処理量もごくわずかでよい。
【０２４５】
それとは別に、オートマクロ機能は上述のように位置の尺度としてＳＭＡアクチュエータ３０の抵抗を使用して実装することができ、これによりレンズエレメント６を所定の位置に移動する。しかし、一般に、オートマクロ機能という利点があるけれども、必然的に制御回路５０の複雑さが増す。
【０２４６】
上述の実施形態は、カメラレンズエレメントの移動を駆動するＳＭＡ駆動機構を組み込んだカメラに関するものであるが、説明されているＳＭＡ駆動機構は、カメラレンズエレメント以外に物体の移動を駆動するように同様に適合されうる。
【符号の説明】
【０２４７】
Ｏ  光軸
Ｏ１  焦点検出動作
Ｏ２  合焦動作
Ｏ３  予備較正動作
Ｏ４  合焦動作
１  カメラ
２  支持構造
３  ベース部
４  イメージセンサー
５  環状壁
６  レンズエレメント
７  レンズ系
８  レンズ
９  サスペンションシステム
１０  サスペンション要素
１１  内側リング
１２  外側リング
１３  湾曲部
１４  金属リング
１５  補強材要素
１６  位置決めピン
１７  開口
１８  リング
１９  スプルー
２０  レンズキャリア
２１  レンズホルダー
２２  雌ネジ
３０  ＳＭＡアクチュエータ
３１  ＳＭＡワイヤ片
３２  取り付け部材
３３  端子
４０  陥凹部
４１  保持要素
４２  長さ部
４４  スクリーニングカン
４５  中央開口
４６  出っ張り
４７  画像回路基板
４８  突起壁
４９  駆動回路基板
５０  制御回路、駆動回路
５２  コントローラ
５３  駆動回路
５４  検出回路
５５  電気的接続
５８  温度センサー
６０  極大抵抗
６１  極小抵抗
７１  カーブ
７２  極大抵抗
７３、７４  ターゲット値
７６  抵抗極小
７８  新しいターゲット値
７９  プラトー
８０  焦点値
８１  カーブ
８３  プラトー
９０  極小抵抗
９１  ターゲット値
９２  カーブ
９５  焦点値
１２０  バイポーラトランジスタ
１２３  ＭＯＳＦＥＴトランジスタ
１２４  オペアンプ
１２５  検出回路
１２５  抵抗器
１２６  オペアンプ
【図１】
2010518438.tif 000003
【図２】
2010518438.tif 000004
【図３】
2010518438.tif 000005
【図４】
2010518438.tif 000006
【図５】
2010518438.tif 000007
【図６】
2010518438.tif 000008
【図７】
2010518438.tif 000009
【図８】
2010518438.tif 000010
【図９】
2010518438.tif 000011
【図１０】
2010518438.tif 000012
【図１１】
2010518438.tif 000013
【図１２】
2010518438.tif 000014
【図１３】
2010518438.tif 000015
【図１４】
2010518438.tif 000016
【図１５】
2010518438.tif 000017
【図１６】
2010518438.tif 000018
【図１７】
2010518438.tif 000019
【図１８】
2010518438.tif 000020
【図１９】
2010518438.tif 000021
【国際調査報告】
2010518438.tif 000022
2010518438.tif 000023
2010518438.tif 000024
2010518438.tif 000025
2010518438.tif 000026
2010518438.tif 000027